(57)【要約】  本開示のいくつかの態様は、媒体占有およびリソースブロックグループ（ＲＢＧ）サイズをｇＮＢから受信するための方法および装置に関し、無線ブロックグループサイズは、帯域幅部分（ＢＷＰ）構成に基づく。一例において、より小さいＢＷＰを有するＵＥは、ＰＲＢに関してＲＢＧサイズにおいてより細かい粒度を有するが、より大きいＢＷＰを有するＵＥは、ＰＲＢに関してＲＢＧサイズにおいてより粗い粒度を有し得る。ＢＷの全てが占有されないように、ｇＮＢがいくつかのチャネルを予約する場合、追加のガードバンドが使用され得る。例えば、ｇＮＢが２０ＭＨｚチャネルを予約する場合、それば隣接チャネル漏洩電力比（ＡＣＬＲ）に適応するために、２０ＭＨｚ帯域幅の各サイドに追加のガードバンドを付与することによって、より良好に機能し得る。本開示の別の態様は、等間隔のＰＲＢを有するインターレースをＵＥに割り振ることに関する。【選択図】図６
2021507624.tif 000002
【特許請求の範囲】
【請求項１】
ユーザ機器（ＵＥ）においてリソースを受け取る方法であって、
媒体占有およびリソースブロックグループ（ＲＢＧ）サイズを備える情報をｇＮＢから受信することを備え、前記リソースブロックグループサイズは、媒体占有状態に基づく、
方法。
【請求項２】
前記占有された媒体の各サイド周辺にある追加のガードバンドを受信することをさらに備える、請求項１に記載の方法。
【請求項３】
前記媒体占有および前記リソースブロックグループ（ＲＢＧ）サイズを備える前記情報は、無線リソース制御（ＲＲＣ）レイヤからのものであるか、または予め定義される、請求項１に記載の方法。
【請求項４】
前記媒体占有は、Ｌ１チャネル上の共通信号によって搬送される情報を使用して前記ＵＥによって受信され、前記ＲＢＧサイズと前記媒体占有状態との間に暗黙的マッピングが存在する、請求項１に記載の方法。
【請求項５】
前記媒体占有は、ビットマップによって示されかつＵＥ固有チャネル上で前記ＵＥによって受信される情報を使用して、前記ＵＥによって受信され、前記ビットマップ中の少なくとも１つのビットは、１つまたは複数のＲＢＧを表し、前記ＲＢＧサイズと前記構成されたＢＷＰとの間に暗黙的マッピングが存在する、請求項１に記載の方法。
【請求項６】
開始ＰＲＢ、ＲＢＧ、またはインターレースを受信することと、
占有されていないチャネルおよびガードバンドを含む複数のチャネルにわたるいくつかの前記ＲＢ、ＲＢＧ、またはインターレースにまたがることと、
前記ガードバンド内および占有されていないチャネル内のＰＲＢ、ＲＢＧ、またはインターレースを自動的にスキップすることと、
によって、リソース割り当て（ＲＡ）オーバーヘッドを低減することをさらに備える、請求項１に記載の方法。
【請求項７】
最初に割り当てられたチャネルにおいて開始ＰＲＢを受信し、最後に割り当てられたチャネルにおいて終了ＰＲＢを受信することと、
前記最初に割り当てられたチャネルと前記最後に割り当てられたチャネルとを示す媒体占有状態を受信することと
を備える、リソース割り当て（ＲＡ）インジケーションと媒体占有インデックスとをジョイントコーディングすることによってリソース割り当て（ＲＡ）オーバーヘッドを低減することをさらに備える、請求項１に記載の方法。
【請求項８】
前記ＵＥの１つのチャネルにわたる等間隔のＰＲＢの少なくとも１つのインターレースへのアクセスを受信すること
をさらに備える、請求項１に記載の方法。
【請求項９】
システム帯域幅内の複数のチャネルにわたる等間隔のＰＲＢの少なくとも１つのインターレースまたは１つの部分インターレースへのアクセスを受信すること
をさらに備える、請求項１に記載の方法。
【請求項１０】
前記媒体が完全に占有されていない場合に、前記ガードバンドは、隣接チャネル漏洩電力を回避するために、前記占有された媒体の周辺に割り振られる、請求項２に記載の方法。
【請求項１１】
前記Ｌ１チャネル上で搬送される前記メッセージは、ＴＸＯＰの最初のスロットにおいて送信され、前記ＴＸＯＰの後続のスロットにおいて繰り返される、請求項４に記載の方法。
【請求項１２】
ユーザ機器（ＵＥ）においてリソースを受け取るための装置であって、
媒体占有およびリソースブロックグループ（ＲＢＧ）サイズを備える情報をｇＮＢから受信するための手段を備え、前記リソースブロックグループサイズは、媒体占有状態に基づく、
装置。
【請求項１３】
占有された媒体の周辺にある追加のガードバンドを受信するための手段をさらに備える、請求項１２に記載の装置。
【請求項１４】
前記媒体占有および前記リソースブロックグループ（ＲＢＧ）サイズを備える前記情報は、無線リソース制御（ＲＲＣ）レイヤからのものであるか、または予め定義される、請求項１２に記載の装置。
【請求項１５】
前記媒体占有は、Ｌ１チャネル上の共通信号によって搬送される情報を使用して前記ＵＥによって受信され、前記ＲＢＧサイズと前記媒体占有状態との間に暗黙的マッピングが存在する、請求項１２に記載の装置。
【請求項１６】
前記媒体占有は、ビットマップによって示されかつＵＥ固有チャネル上で前記ＵＥによって受信される情報を使用して、前記ＵＥによって受信され、前記ビットマップ中の少なくとも１つのビットは、１つまたは複数のＲＢＧを表し、前記ＲＢＧサイズと前記構成されたＢＷＰとの間に暗黙的マッピングが存在する、請求項１２に記載の装置。
【請求項１７】
開始ＰＲＢ、ＲＢＧ、またはインターレースを受信するための手段と、
占有されていないチャネルおよびガードバンドを含む複数のチャネルにわたるいくつかの前記ＲＢ、ＲＢＧ、またはインターレースにまたがるための手段と、
前記ガードバンド内および占有されていないチャネル内のＰＲＢ、ＲＢＧ、またはインターレースを自動的にスキップするための手段と
を備える、リソース割り当て（ＲＡ）オーバーヘッドを低減するための手段をさらに備える、請求項１２に記載の装置。
【請求項１８】
最初に割り当てられたチャネルにおいて開始ＰＲＢを受信し、最後に割り当てられたチャネルにおいて終了ＰＲＢを受信することと、
前記最初に割り当てられたチャネルと前記最後に割り当てられたチャネルとを示す媒体占有状態を受信することと
を備える、リソース割り当て（ＲＡ）インジケーションと媒体占有インデックスとをジョイントコーディングすることによってリソース割り当て（ＲＡ）オーバーヘッドを低減することをさらに備える、請求項１２に記載の装置。
【請求項１９】
前記ＵＥの１つのチャネルにわたる等間隔のＰＲＢの少なくとも１つのインターレースへのアクセスを受信すること
をさらに備える、請求項１２に記載の装置。
【請求項２０】
システム帯域幅内の複数のチャネルにわたる等間隔のＰＲＢの１つのインターレースまたは１つの部分インターレースへのアクセスを受信すること
をさらに備える、請求項１２に記載の装置。
【請求項２１】
前記媒体が完全に占有されていない場合に、前記ガードバンドは、隣接チャネル漏洩電力を回避するために、前記占有された媒体の周辺に割り振られる、請求項１３に記載の装置。
【請求項２２】
前記Ｌ１チャネル上で搬送される前記情報は、ＴＸＯＰの最初のスロットにおいて送信され、前記ＴＸＯＰの後続のスロットにおいて繰り返される、請求項１５に記載の装置。
【請求項２３】
ユーザ機器（ＵＥ）においてリソースを受け取るための装置であって、
メモリと、
前記メモリに結合されたプロセッサとを備え、前記プロセッサは、
媒体占有およびリソースブロックグループ（ＲＢＧ）サイズを備える情報をｇＮＢから受信するように構成され、前記リソースブロックグループサイズは、媒体占有状態に基づく、
装置。
【請求項２４】
前記プロセッサは、前記占有された媒体の各サイド周辺にある追加のガードバンドを受信するようにさらに構成される、請求項２３に記載の装置。
【請求項２５】
前記媒体占有および前記リソースブロックグループ（ＲＢＧ）サイズを備える前記情報は、無線リソース制御（ＲＲＣ）レイヤからのものであるか、または予め定義される、請求項２３に記載の装置。
【請求項２６】
前記媒体占有は、Ｌ１チャネル上の共通信号によって搬送される情報を使用して前記ＵＥによって受信され、前記ＲＢＧサイズと前記媒体占有状態との間に暗黙的マッピングが存在する、請求項２３に記載の装置。
【請求項２７】
前記媒体占有は、ビットマップによって示されかつＵＥ固有チャネル上で前記ＵＥによって受信される情報を使用して、前記ＵＥによって受信され、前記ビットマップ中の少なくとも１つのビットは、１つまたは複数のＲＢＧを表し、前記ＲＢＧサイズと前記構成されたＢＷＰとの間に暗黙的マッピングが存在する、請求項２３に記載の装置。
【請求項２８】
前記プロセッサは、
開始ＰＲＢ、ＲＢＧ、またはインターレースを受信することと、
占有されていないチャネルおよびガードバンドを含む複数のチャネルにわたるいくつかの前記ＲＢ、ＲＢＧ、またはインターレースにまたがることと、
前記ガードバンド内および占有されていないチャネル内のＰＲＢ、ＲＢＧ、またはインターレースを自動的にスキップすることと
によって、リソース割り当て（ＲＡ）オーバーヘッドを低減するようにさらに構成される、請求項２３に記載の装置。
【請求項２９】
前記プロセッサは、
最初に割り当てられたチャネルにおいて開始ＰＲＢを受信し、最後に割り当てられたチャネルにおいて終了ＰＲＢを受信することと、
前記最初に割り当てられたチャネルと前記最後に割り当てられたチャネルとを示す媒体占有状態を受信することと
を備える、リソース割り当て（ＲＡ）インジケーションと媒体占有インデックスとをジョイントコーディングすることによってリソース割り当て（ＲＡ）オーバーヘッドを低減することを行うようにさらに構成される、請求項２３に記載の装置。
【請求項３０】
プロセッサ実行可能命令を記憶した非一時的プロセッサ可読記憶媒体であって、前記命令は、装置のプロセッサに、ユーザ機器（ＵＥ）においてリソースを受け取らせるように構成され、
媒体占有およびリソースブロックグループ（ＲＢＧ）サイズを備える情報をｇＮＢから受信することを備え、前記リソースブロックグループサイズは、媒体占有状態に基づく、
非一時的プロセッサ可読記憶媒体。
【発明の詳細な説明】
【関連出願の相互参照】
【０００１】
本出願は、２０１７年１２月２０日付けで米国特許商標庁に出願され、「RESOURCE ASSIGNMENT IN NR-SS」と題する、米国仮特許出願第６２／６０８，３４１号の利益、および２０１８年１２月１８日付けで米国特許商標庁に出願され、「RESOURCE ASSIGNMENT IN NR-SS」と題する、米国非仮特許出願第１６／２２４，１５４の利益、およびこれらの優先権を主張するもので、その全内容が、あらゆる適用可能な目的で以下にその全てにおいて十分に明記されたものとして、参照により本明細書に組み込まれる。
【技術分野】
【０００２】
[0001]  以下は、一般に無認可(unlicensed)ワイヤレス通信に関し、より具体的には、アップリンク通信に関する。
【背景技術】
【０００３】
[0002]  ワイヤレス通信システムは、音声、映像、パケットデータ、メッセージング、ブロードキャストなどのような様々なタイプの通信コンテンツを提供するために広く展開されている。これらシステムは、利用可能なシステムリソース（例えば、時間、周波数、および電力）を共有することによって複数のユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および、直交周波数分割多元接続（ＯＦＤＭＡ）システムを含む。ワイヤレス多元接続通信システムは、いくつかの基地局を含み得、各々が、ユーザ機器（ＵＥ：user equipment）としても知られ得る複数の通信デバイスのための通信を同時にサポートする。
【発明の概要】
【０００４】
[0003]  ユーザ機器（ＵＥ）においてリソースを受け取るための方法および装置が説明される。本方法および装置は、媒体(medium)を送るためにリッスンビフォアトーク（ＬＢＴ：listen-before-talk）プロシージャを適用することと、媒体占有(medium occupation)およびリソースブロックグループ（ＲＢＧ：resource block group）サイズを備える情報をｇＮＢから受信することとを含み得、リソースブロックグループサイズは、媒体占有に基づく。
【０００５】
[0004]  別の例では、方法および装置は、シグナリングにおいてより細かいＲＢＧ粒度(granularity)を使用する、より小さいチャネル占有状態(channel occupancy)を有するノードと、シグナリングにおいてより粗いＲＢＧ粒度を使用する、より大きいチャネル占有状態を有するノードとをさらに備える。
【０００６】
[0005]  別の例では、方法および装置は、占有された媒体の周辺にある追加のガードバンドを受信することをさらに備え、ガードバンドは、ノードが隣接チャネルにアクセスできない場合、隣接チャネル漏洩電力を回避するために、占有された媒体の周辺に割り振られる。
【０００７】
[0006]  別の例では、ＲＢＧサイズと媒体占有状態(medium occupancy)との間に暗黙的マッピングが存在する。
【０００８】
[0007]  別の例では、本方法および装置は、開始ＰＲＢ、ＲＢＧ、またはインターレースを受信することと、媒体アクセスなしにそれらのチャネルを含むチャネルにわたるいくつかのＲＢ、ＲＢＧ、またはインターレースを受信することと、ガードバンド内および占有されていないチャネル内のＰＲＢ、ＲＢＧ、またはインターレースを自動的にスキップすることとによって、リソース割り当て（ＲＡ：resource allocation）オーバーヘッドを低減することをさら含む。
【０００９】
[0008]  さらに別の例では、本方法および装置は、最初に割り当てられたチャネルにおいて開始ＰＲＢを示し、最後に割り当てられたチャネルにおいて終了ＰＲＢを示すことと、最初に割り当てられたチャネルと最後に割り当てられたチャネルとにおける媒体占有状態を示すことと、を備える、リソース割り当て（ＲＡ）インジケーションと媒体占有インデックスとをジョイントコーディングすることによってリソース割り当て（ＲＡ）オーバーヘッドを低減することをさらに含む。
【００１０】
[0009]  また、チャネルにわたる等間隔のＰＲＢを有するインターレースをＵＥに割り振ること、またはシステム帯域幅内の複数のチャネルにわたる等間隔のＰＲＢのインターレースを割り振ることを含む、別の方法および装置が説明される。
【図面の簡単な説明】
【００１１】
【図１】本開示のある特定の態様に従った、例となる電気通信システムを概念的に図示するブロック図である。
【図２】本開示のある特定の態様に従った、分散されたＲＡＮの、例となる論理アーキテクチャを図示するブロック図である。
【図３】本開示のある特定の態様に従った、分散されたＲＡＮの、例となる物理アーキテクチャを図示する図である。
【図４】本開示のいくつかの態様による、例示的な基地局（ＢＳ：base station）およびユーザ機器（ＵＥ）の設計を概念的に示すブロック図である。
【図５Ａ】本開示のいくつかの態様によるダウンリンク（ＤＬ：downlink）中心サブフレームの一例を示す図である。
【図５Ｂ】本開示のいくつかの態様によるアップリンク（ＵＬ：uplink）中心サブフレームの一例を示す図である。
【図６】占有されたチャネル内の媒体占有インジケーションおよびＲＢ割り当てを搬送する、ＲＲＣ構成メッセージと呼ばれるＲＲＣからのメッセージを開示する。
【図７】２０ＭＨｚが１チャネルに等しく、４０ＭＨｚが２チャネルに等しく、６０ＭＨｚが３チャネルに等しく、８０ＭＨｚが４ＭＨｚに等しい、１〜４チャネルのためのＲＢＧサイズマッピングに対する媒体占有を示す。
【図８】チャネルおよびＲＢＧサイズでＵＥを構成するためにビットマップを使用することを開示する。
【図９Ａ】４ＰＲＢのＲＢＧサイズとともに、チャネル当たり５０個のＰＲＢが割り当てられる、チャネル０〜３へのＰＲＢおよびＲＢＧの割り当てを示す。
【図９Ｂ】チャネル０および３へのＰＲＢおよびＲＢＧの割り当てを示す。
【図１０Ａ】ＲＢＧサイズとともに媒体占有をＵＥに示すためにＢＳによって取られるステップのフローチャートである。
【図１０Ｂ】ＲＢＧサイズとともに媒体占有をＢＳから受信するときにＵＥによって取られるステップのフローチャートである。
【図１１Ａ】開始ＰＲＢ、ＲＢＧ、またはインターレースを受信し、媒体アクセスなしのそれらのチャネルを含む複数のチャネルにわたるいくつかのＲＢ、ＲＢＧ、またはインターレースにまたがり、ガードバンド内および占有されていないチャネル内のＰＲＢ、ＲＢＧ、またはインターレースを自動的にスキップすることによって、リソース割り振りオーバーヘッドを低減するために取られるステップのフローチャートである。
【図１１Ｂ】リソース割り当て（ＲＡ）インジケーションと媒体占有インデックスとをジョイントコーディングすることによってリソース割り当てオーバーヘッドを低減するために取られるステップのフローチャートである。
【図１２Ａ】ＰＲＢの第１のインターレース、インターレース０、およびＰＲＢの第２のインターレース、インターレース３２０などの、複数の等間隔のＰＲＢを有する複数のインターレースを示す。
【図１２Ｂ】１０個の等間隔の物理リソースブロックから構成される２０ＭＨｚチャネル内のインターレースである。
【図１２Ｃ】４つの２０ＭＨｚチャネルを備える８０ＭＨｚのシステム帯域幅内のインターレースであり、ここで、ＰＲＢは、３ＰＲＢずつ離れて等間隔に配置される。
【図１３】基地局内に含まれ得る特定のコンポーネントを図示する。
【図１４】ワイヤレス通信デバイス内に含まれ得る特定のコンポーネントを図示する。
【発明の詳細な説明】
【００１２】
[0030]  ５Ｇ ＮＲでは、サブキャリア間隔がスケーリングされ得る。また、５Ｇのために選択される波形は、サイクリックプレフィックス直交周波数分割多重（ＣＰ−ＯＦＤＭ：cyclic prefix- orthogonal frequency-division multiplexing）およびＤＦＴ拡散（ＤＦＴ−Ｓ）ＯＦＤＭを含む。加えて、５Ｇは、ＣＰ−ＯＦＤＭのＭＩＭＯ空間多重化の利益およびＤＦＴ−Ｓ ＯＦＤＭのリンクバジェット利益を得るために、アップリンク上でＣＰ ＯＦＤＭとＤＦＴ−Ｓ−ＯＦＤＭの両方の間で切り替えることを可能にする。ＬＴＥ（登録商標）では、直交周波数分割多元接続（ＯＦＤＭＡ）通信信号が、ダウンリンク通信のために使用され得、シングルキャリア周波数分割多元接続（ＳＣ−ＦＤＭＡ）通信信号が、ＬＴＥアップリンク通信のために使用され得る。ＤＦＴ−s−ＯＦＤＭＡ方式は、ＯＦＤＭＡ方式とは異なる周波数領域に複数のデータシンボル（すなわち、データシンボルシーケンス）を拡散する。また、ＤＦＴ−s−ＯＦＤＭＡ方式では、ＯＦＤＭＡ方式と比較して、送信信号のＰＡＰＲを大幅に低減できる。ＤＦＴ−s−ＯＦＤＭＡ方式は、ＳＣ−ＦＤＭＡ方式とも呼ばれ得る。
【００１３】
[0031]  スケーラブルＯＦＤＭマルチトーンヌメロロジ(multi-tone numerology)は、５Ｇの別の特徴である。ＬＴＥの以前のバージョンは、ＯＦＤＭトーン（しばしばサブキャリアと呼ばれる）と２０ＭＨｚまでのキャリア帯域幅との間の１５ｋＨｚ間隔のほとんど固定されたＯＦＤＭヌメロロジをサポートした。スケーラブルＯＦＤＭヌメロロジは、多様なスペクトル帯域／タイプおよび展開モデルをサポートするために５Ｇにおいて導入されている。例えば、５Ｇ ＮＲは、ＬＴＥにおいて現在使用されているものよりも広いチャネル幅（例えば、ＭＨｚの１００の台（100s of MHz））を有するｍｍ波帯域において動作できる。また、ＯＦＤＭサブキャリア間隔は、チャネル幅でスケーリングできるので、ＦＦＴサイズは、より広い帯域幅に対して処理の複雑さが不必要に増加しないようにスケーリングする。本出願では、ヌメロロジは、サブキャリア間隔、サイクリックプレフィックス、シンボル長、ＦＦＴサイズ、ＴＴＩなどのような、通信システムの異なる特徴が取り得る異なる値を指す。
【００１４】
[0032]  また、５Ｇ ＮＲにおいて、セルラ技術は、スタンドアロンおよび認可支援（ＬＡＡ）の両方で、無認可スペクトル(unlicensed spectrum)に拡張されている。さらに、無認可スペクトルは、ｍｍ波としても知られる６０ＧＨｚまでの周波数を占有し得る。無認可バンドの使用は、追加の容量を提供する。
【００１５】
[0033]  この技術ファミリの第１のメンバは、ＬＴＥ ＵｎｌｉｃｅｎｓｅｄまたはＬＴＥ−Ｕと呼ばれる。無認可スペクトルにおけるＬＴＥを認可スペクトル(licensed spectrum)における「アンカー」チャネルとアグリゲートすることによって、より高速なダウンロードが顧客に対して可能になる。また、ＬＴＥ−Ｕは、Ｗｉ−Ｆｉと公平に無認可スペクトルを共有する。これは、Ｗｉ−Ｆｉデバイスが広く使用されている５ＧＨｚ無認可帯域において、ＬＴＥ−ＵがＷｉ−Ｆｉと共存することが望ましいので、利点である。しかしながら、ＬＴＥ−Ｕネットワークは、既存の同一チャネルＷｉ−Ｆｉデバイスに対してＲＦ干渉を引き起こし得る。好ましい動作チャネルを選択し、近くのＷｉ−Ｆｉネットワークに引き起こされる干渉を最小化することは、ＬＴＥ−Ｕデバイスの目標である。しかしながら、ＬＴＥ−Ｕシングルキャリア（ＳＣ）デバイスは、全ての利用可能なチャネルがＷｉ−Ｆｉデバイスによって占有される場合、Ｗｉ−Ｆｉと同じチャネル上で動作し得る。ＬＴＥ−ＵとＷｉ−Ｆｉとの間のスペクトルアクセスを調整するために、意図された送信帯域にわたるエネルギーが最初に検出される。このエネルギー検出（ＥＤ：energy detection）メカニズムは、他のノードによる進行中の送信をデバイスに知らせる。このＥＤ情報に基づいて、デバイスは、送信すべきかどうかを決定する。Ｗｉ−Ｆｉデバイスは、その干渉レベルがエネルギー検出しきい値（２０ＭＨｚにわたって−６２ｄＢｍ）を超えない限り、ＬＴＥ−Ｕにバックオフしない。従って、適切な共存機構が適所にないと、ＬＴＥ−Ｕ送信は、Ｗｉ−Ｆｉ送信に対してＷｉ−Ｆｉネットワーク上でかなりの干渉を引き起こし得る。
【００１６】
[0034]  認可支援アクセスまたはＬＡＡは、無認可技術ファミリの別のメンバである。ＬＴＥ−Ｕと同様に、それはまた、認可スペクトルにおいてアンカーチャネルを使用する。しかしながら、ＬＴＥ機能に「リッスンビフォアトーク」（ＬＢＴ：listen before talk）も追加する。
【００１７】
[0035]  ゲーティング間隔は、共有スペクトルのチャネルへのアクセスを得るために使用され得る。ゲーティング間隔は、ＬＢＴプロトコルなどの競合ベースプロトコルの適用を決定し得る。ゲーティング間隔は、クリアチャネルアセスメント（ＣＣＡ：Clear Channel Assessment）が行われるときを示し得る。共有無認可スペクトルのチャネルが利用可能であるか使用中であるかは、ＣＣＡによって決定される。チャネルが使用のために「クリア」である、すなわち利用可能である場合、ゲーティング間隔は、送信装置がチャネルを使用することを可能にし得る。チャネルへのアクセスは、通常、予め定義された送信間隔の間であり、ｇＮＢおよびｇＮＢと通信するＵＥによってチャネルが使用されることを可能にする。従って、無認可スペクトルでは、メッセージを送信する前に「リッスンビフォアトーク」プロシージャが行われる。チャネルが使用のためにクリアにされない場合、デバイスは送信しない。
【００１８】
[0036]  無認可技術のこのファミリの別のメンバは、ＬＴＥとＷｉ−Ｆｉの両方を利用するＬＴＥーＷＬＡＮアグリゲーションまたはＬＷＡである。両方のチャネル状態を考慮して、ＬＷＡは、単一のデータフローを２つのデータフローに分割でき、これは、ＬＴＥチャネルとＷｉ−Ｆｉチャネルの両方がアプリケーションのために使用されることを可能にする。Ｗｉ−Ｆｉと競合する代わりに、ＬＴＥ信号は、容量を増加させるためにＷＬＡＮ接続をシームレスに使用している。
【００１９】
[0037]  無認可技術のこのファミリの最後のメンバは、ＭｕｌｔｅＦｉｒｅである。ＭｕＬＴＥｆｉｒｅは、グローバル５ＧＨｚなどの無認可スペクトルにおいてのみ４Ｇ ＬＴＥ技術を動作させることによって新しい機会を開いている。ＬＴＥ−ＵおよびＬＡＡとは異なり、ＭｕｌｔｅＦｉｒｅは、認可スペクトルへの任意のアクセスなしにエンティティを許可する。従って、それは、スタンドアロンベースで、すなわち、認可スペクトル中のいずれのアンカーチャネルもなしに、無認可スペクトル中で動作する。従って、ＭｕｌｔｅＦｉｒｅは、無認可スペクトルを認可スペクトル内のアンカーとアグリゲートするので、ＬＴＥ−Ｕ、ＬＡＡ、およびＬＷＡとは異なる。アンカーサービスとして認可スペクトルに依存することなく、ＭｕｌｔｅＦｉｒｅは、Ｗｉ−Ｆｉのような展開を可能にする。ＭｕｌｔｅＦｉｒｅネットワークは、例えば、認可アンカーキャリアなしに、無認可無線周波数スペクトル帯域において通信するアクセスポイント（ＡＰ：access point）および／または基地局１０５を含み得る。
【００２０】
[0038]  （ＤＲＳ測定タイミング構成）は、ＭｕｌｔｅＦｉｒｅが送信することを可能にするが、Ｗｉ−Ｆｉを含む他の無認可技術への干渉が最小である技法である。さらに、発見信号の周期性は非常にまばらである。これは、Ｍｕｌｔｅｆｉｒｅが、チャネルに時折アクセスし、発見信号および制御信号を送信し、次いでチャネルを空けることを可能にする。無認可スペクトルは、類似または非類似のワイヤレス技術の他の無線機と共有されるので、いわゆるリッスンビフォアトーク（ＬＢＴ）方法がチャネルセンシングに適用される。ＬＢＴは、予め定義された最小時間量の間、媒体をセンスし、チャネルがビジーである場合、バックオフすることを含む。従って、スタンドアロンＬＴＥ−Ｕのための初期ランダムアクセス（ＲＡ）プロシージャは、ＬＢＴ動作の数が最小化され得、次いで、ＲＡプロシージャが可能な限り迅速に完了され得るように、可能な限り少ない送信を含み、低レイテンシも有するべきである。
【００２１】
[0039]  ＤＭＴＣ（ＤＲＳ測定タイミング構成）ウィンドウを活用して、ＭｕｌｔｅＦｉｒｅアルゴリズムは、どの基地局がユーザにサービスするのに最良であるかを知るために、近隣基地局からの無認可帯域における基準信号を探索し、復号する。発呼者が１つの基地局を過ぎて移動すると、そのＵＥは、測定報告をそれに送り、正しい瞬間にハンドオーバをトリガし、発呼者（およびそのコンテンツおよび情報の全て）を次の基地局に転送する。
【００２２】
[0040]  ＬＴＥは従来、認可スペクトルにおいて動作し、Ｗｉ−Ｆｉは無認可帯域において動作したので、Ｗｉ−Ｆｉまたは他の無認可技術との共存は、ＬＴＥが設計されたときに考慮されなかった。無認可世界に移動する際に、ＬＴＥ波形が修正され、リッスンビフォアトーク（ＬＢＴ）を行うためにアルゴリズムが追加された。これは、単にチャネルを取得し、直ちに送信するだけでなく、Ｗｉ−Ｆｉを含む無認可インカンベント（unlicensed incumbents）を尊重することを可能にする。本例は、Ｗｉ−Ｆｉネイバーとの共存を保証するために、ＬＢＴと、ＷＣＵＢＳ（Ｗｉ−Ｆｉチャネル使用ビーコン信号）の検出および送信をサポートする。
【００２３】
[0041]  ＭｕｌｔｅＦｉｒｅは、隣接するＷｉ−Ｆｉ基地局の送信を「聞く（hear）」ように設計された（それが全ての無認可スペクトルであるからであるため）。ＭｕｌｔｅＦｉｒｅは、最初にリッスンし、同じチャネル上で送信している他の近隣Ｗｉ−Ｆｉが存在しないとき、転送する決定を自律的に行う。この技術は、ＭｕｌｔｅＦｉｒｅとＷｉ−Ｆｉとの間の共存を保証する。
【００２４】
[0042]  さらに、−７２ｄＢｍのＬＢＴ検出しきい値を義務づける、３ＧＰＰ（登録商標）および欧州電気通信標準化機構（ＥＴＳＩ：European Telecommunications Standards Institute）によって設定された無認可規則および規制に従う。これは、Ｗｉ−Ｆｉとの矛盾をなくすのをさらに助ける。ＭｕｌｔｅＦｉｒｅのＬＢＴ設計は、ＬＡＡ／ｅＬＡＡについて３ＧＰＰで定義された規格と同一であり、ＥＴＳＩ規則に準拠する。
【００２５】
[0043]  ５Ｇのための拡張機能は、５Ｇ ＮＲスペクトル共有、またはＮＲ−ＳＳ(NR Spectrum Sharing)の使用を含む。５Ｇスペクトル共有は、ＬＴＥにおいて導入されたスペクトル共有技術の強化、拡張、およびアップグレードを可能にする。これらは、ＬＴＥ Ｗｉ−Ｆｉアグリゲーション（ＬＷＡ：LTE Wi-Fi Aggregation）、認可支援アクセス（ＬＡＡ：License Assisted Access）、拡張認可支援アクセス（ｅＬＡＡ：enhanced License Assisted Access）、およびＣＢＲＳ／認可共有アクセス（ＬＳＡ：License Shared Access）を含む。
【００２６】
[0044]  本開示の態様は初めに、ワイヤレス通信システムのコンテキストにおいて説明される。次いで、本開示の態様は、送信時の受信および受信時の送信に関する装置図、システム図、およびフローチャートによって示され、それらを参照して説明される。
【００２７】
[0045]  図１は、本開示の態様が行われ得る、新無線（ＮＲ：new radio）または５Ｇネットワークなどの例示的なワイヤレスネットワーク１００を示す。
【００２８】
[0046]  図１に図示されるように、ワイヤレスネットワーク１００は、いくつかのＢＳ１１０および他のネットワークエンティティを含み得る。ＢＳ１１０は、ＵＥ１２０と通信する局であり得る。各ＢＳ１１０は、特定の地理的エリアに対して通信カバレージを提供できる。３ＧＰＰでは、「セル」という用語は、この用語が使用される状況に応じて、ノードＢのカバレッジエリアおよび／またはこのカバレッジエリアにサービスしているノードＢサブシステムを指すことがある。ＮＲシステムでは、「セル」という用語と、ｅＮＢ、ノードＢ、５Ｇ ＮＢ、ＡＰ、ＮＲ ＢＳ、ＮＲ ＢＳ、５Ｇ無線ノードＢ（ｇＮＢ）、またはＴＲＰとは、同義であり得る。いくつかの例では、セルは、必ずしも静止しているとは限らず、セルの地理的エリアは、モバイル基地局１２０のロケーションに従って移動し得る。いくつかの例では、基地局１１０は、任意の適切なトランスポートネットワークを使用して、直接物理接続、仮想ネットワークなどのような様々なタイプのバックホールインターフェースを通して、互いに、および／またはワイヤレスネットワーク１００中の１つもしくは複数の他の基地局１１０もしくはネットワークノード（図示せず）に相互接続され得る。
【００２９】
[0047]  一般に、任意の数のワイヤレスネットワークが所与の地理的エリアにおいて展開され得る。各ワイヤレスネットワークは、特定の無線アクセス技術（ＲＡＴ：radio access technology）をサポートし得、１つまたは複数の周波数上で動作し得る。ＲＡＴは、無線技術、エアインターフェースなどと呼ばれることもある。周波数は、キャリア、周波数チャネルなどとも呼ばれ得る。各周波数は、異なるＲＡＴのワイヤレスネットワーク間の干渉を避けるために、所与の地理的エリアにおいて単一のＲＡＴをサポートし得る。いくつかのケースでは、ＮＲまたは５Ｇ ＲＡＴネットワークが展開され得る。
【００３０】
[0048]  ＢＳ１１０は、マクロセル、ピコセル、フェムトセル、および／または他のタイプのセルに通信カバレッジを提供し得る。マクロセルは、比較的大きい地理的エリア（例えば、半径数キロメートル）をカバーし、サービスに加入しているＵＥ１２０による無制限アクセスを可能にし得る。ピコセルは、比較的小さい地理的エリアをカバーし、サービスに加入しているＵＥ１２０による無制限アクセスを可能にし得る。フェムトセルは、比較的小さい地理的エリア（例えば、自宅）をカバーし得、フェムトセルとの関連を有するＵＥ１２０（例えば、限定加入者グループ（ＣＳＧ：Closed Subscriber Group）中のＵＥ、自宅内のユーザのためのＵＥなど）による限定アクセスを可能にし得る。マクロセルのためのＢＳ１１０は、マクロＢＳ１１０と呼ばれ得る。ピコセルのためのＢＳは、ピコＢＳと呼ばれ得る。フェムトセルのためのＢＳは、フェムトＢＳまたはホームＢＳと呼ばれ得る。図１に示す例では、ＢＳ１１０ａ、１１０ｂ、および１１０ｃは、それぞれマクロセル１０２ａ、１０２ｂ、および１０２ｃのためのマクロＢＳであり得る。ＢＳ１１０ｘは、ピコセル１０２ｘのためのピコＢＳであり得る。ＢＳ１１０ｙおよび１１０ｚは、それぞれフェムトセル１０２ｙおよび１０２ｚのためのフェムトＢＳであり得る。ＢＳは、１つまたは複数の（例えば、３つの）セルをサポートし得る。
【００３１】
[0049]  ワイヤレスネットワーク１００はまた、中継局を含み得る。中継局は、上流局（例えば、ＢＳまたはＵＥ）からデータおよび／または他の情報の送信を受信し、下流局（例えば、ＵＥまたはＢＳ）にデータおよび／または他の情報の送信を送る局である。中継局はまた、他のＵＥに対する送信を中継するＵＥであり得る。図１に示す例では、中継局１１０ｒは、ＢＳ１１０ａとＵＥ１２０ｒとの間の通信を容易にするために、ＢＳ１１０ａおよびＵＥ１２０ｒと通信し得る。中継局は、中継ＢＳ、中継器などと呼ばれることもある。
【００３２】
[0050]  ワイヤレスネットワーク１００は、異なるタイプのＢＳ、例えば、マクロＢＳ、ピコＢＳ、フェムトＢＳ、リレーなどを含む異種ネットワークであり得る。これらの様々なタイプのＢＳは、様々な送信電力レベル、様々なカバレージエリア、およびワイヤレスネットワーク１００中の干渉に対する様々な影響を有し得る。例えば、マクロＢＳは、高い送信電力レベル（例えば、２０ワット）を有し得るが、ピコＢＳ、フェムトＢＳ、およびリレーは、より低い送信電力レベル（例えば、１ワット）を有し得る。
【００３３】
[0051]  ワイヤレスネットワーク１００は、同期動作または非同期動作をサポートし得る。同期動作の場合、ＢＳは同様のフレームタイミングを有し得、異なるＢＳからの送信は近似的に時間的に整合され得る。非同期動作の場合、ＢＳは異なるフレームタイミングを有し得、異なるＢＳからの送信は時間的に整合されないことがある。本明細書で説明する技法は、同期動作と非同期動作の両方のために使用され得る。
【００３４】
[0052]  ネットワークコントローラ１３０は、ＢＳのセットに結合され、これらのＢＳの協調および制御を提供し得る。ネットワークコントローラ１３０は、バックホールを介してＢＳ１１０と通信し得る。ｅＮＢ１１０はまた、例えば、ワイヤレスバックホールまたはワイヤラインバックホールを介して直接または間接的に互いに通信し得る。
【００３５】
[0053]  ＵＥ１２０（例えば、１２０ｘ、１２０ｙなど）は、ワイヤレスネットワーク１００にわたって分散され得、各ＵＥは、固定式または移動式であり得る。ＵＥ１２０はまた、モバイル局、端末、アクセス端末、加入者ユニット、局、顧客構内機器（ＣＰＥ：Customer Premises Equipment）、セルラフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲーミングデバイス、ネットブック、スマートブック、ウルトラブック、医療デバイスまたは医療機器、ヘルスケアデバイス、生体センサ／デバイス、スマートウォッチ、スマート衣服、スマートメガネ、仮想現実ゴーグル、スマートリストバンド、スマートジュエリ（例えば、スマートリング、スマートブレスレットなど）のようなウェアラブルデバイス、エンターテインメントデバイス（例えば、音楽デバイス、ビデオデバイス、衛星ラジオなど）、車両コンポーネントまたはセンサ、スマートメータ／センサ、ロボット、ドローン、工業製造機器、測位デバイス（例えば、ＧＰＳ、Ｂｅｉｄｏｕ、地上の）、あるいはワイヤレスまたはワイヤード媒体を介して通信するように構成された任意の他の適したデバイスと呼ばれ得る。いくつかのＵＥは、マシンタイプ通信（ＭＴＣ：machine-type communication）デバイスまたは発展型ＭＴＣ（ｅＭＴＣ）デバイスであると考えられ得、それは、基地局、別のリモートデバイス、または何らかの他のエンティティと通信し得るリモートデバイスを含み得る。マシンタイプ通信（ＭＴＣ）は、通信の少なくとも１つの端部上の少なくとも１つのリモートデバイスを伴う通信を指すことがあり、必ずしも人間の対話を必要としない１つまたは複数のエンティティを伴うデータ通信の形態を含み得る。ＭＴＣ ＵＥは、例えば、公衆地上モバイルネットワーク（ＰＬＭＮ：Public Land Mobile Networks）を通してＭＴＣサービスおよび／または他のＭＴＣデバイスとＭＴＣ通信できるＵＥを含み得る。ＭＴＣおよびｅＭＴＣ ＵＥは、例えば、ＢＳ、別のデバイス（例えば、リモートデバイス）、または何らかの他のエンティティと通信し得る、ロボット、ドローン、リモートデバイス、センサ、メータ、モニタ、ロケーションタグなどを含む。ワイヤレスノードは、例えば、ワイヤードまたはワイヤレス通信リンクを介してネットワーク（例えば、インターネットまたはセルラーネットワークなどのワイドエリアネットワーク）のためのまたはそれへの接続性を与え得る。ＭＴＣ ＵＥ、並びに他のＵＥは、ＩｏＴ（Internet-of-Things）デバイス、例えば、ナローバンドＩｏＴ（ＮＢ−ＩｏＴ）デバイスとして、実施され得る。ＮＢ ＩｏＴでは、ＵＬおよびＤＬは、ＵＥが拡張カバレッジ内でデータを復号するにつれて、より高い周期性および反復間隔値を有する。
【００３６】
[0054]  図１において、両矢印付きの実線は、ダウンリンクおよび／またはアップリンク上での、ＵＥと、そのＵＥをサービスするように指定されたＢＳであるサービスを提供するＢＳとの間の所望の送信を示す。両矢印付きの破線は、ＵＥとＢＳとの間の干渉送信を示す。
【００３７】
[0055]  いくつかのワイヤレスネットワーク（例えば、ＬＴＥ）は、ダウンリンク上で直交周波数分割多重（ＯＦＤＭ）を利用し、アップリンク上でシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。例えば、サブキャリアの間隔は１５ｋＨｚであり得、（「リソースブロック」と呼ばれる）最小リソース割り当ては１２個のサブキャリア（または１８０ｋＨｚ）であり得る。従って、公称ＦＦＴサイズは、１．２５、２．５、５、１０、または２０メガヘルツ（ＭＨｚ）の対応するシステム帯域幅に対してそれぞれ１２８、２５６、５１２、１０２４、または２０４８に等しくなり得る。システム帯域幅をサブバンドに区分することもできる。例えば、サブバンドは、１．０８ＭＨｚ（例えば、６個のリソースブロック）をカバーし得、１．２５、２．５、５、１０、または２０ＭＨｚのシステム帯域幅に対して、それぞれ、１、２、４、８、または１６個のサブバンドが存在し得る。
【００３８】
[0056]  本明細書で説明する例の態様はＬＴＥ技術に関連し得るが、本開示の態様は、ＮＲなどの他のワイヤレス通信システムに適用可能であり得る。ＮＲは、アップリンクおよびダウンリンク上でＣＰとともにＯＦＤＭを利用し、時分割複信（ＴＤＤ）を使用する半二重動作のためのサポートを含み得る。１００ＭＨｚの単一コンポーネントキャリア帯域幅がサポートされ得る。ＮＲ個のリソースブロックは、０．１ｍｓの持続時間にわたって７５ｋＨｚのサブキャリア帯域幅を有する１２個のサブキャリアにまたがり得る。各無線フレームは、１０ｍｓの長さを有する５０個のサブフレームで構成され得る。従って、各サブフレームは、０．２ｍｓの長さを有し得る。各サブフレームは、データ送信のためのリンク方向（すなわち、ＤＬまたはＵＬ）を示し得、各サブフレームのためのリンク方向が、動的に切り替えられ得る。各サブフレームは、ＤＬ／ＵＬデータ並びにＤＬ／ＵＬ制御データを含み得る。ＮＲのためのＵＬおよびＤＬサブフレームは、図６および図７に関して以下でより詳細に説明されるようなものであり得る。ビームフォーミングがサポートされ得、ビーム方向が動的に構成され得る。プリコーディングを用いたＭＩＭＯ送信もサポートされ得る。ＤＬにおけるＭＩＭＯ構成は、ＵＥごとに最大２ストリームおよび最大８ストリームのマルチレイヤＤＬ送信を有する、最大８個の送信アンテナをサポートし得る。ＵＥごとに最大２ストリームを有するマルチレイヤ送信がサポートされ得る。複数のセルのアグリゲーションは、最大８個のサービングセルを用いてサポートされ得る。代替的に、ＮＲは、ＯＦＤＭベース以外の異なるエアインターフェースをサポートし得る。ＮＲネットワークは、ＣＵおよび／またはＤＵなどのエンティティを含み得る。
【００３９】
[0057]  いくつかの例では、エアインターフェースへのアクセスがスケジュールされ得、ここにおいて、スケジューリングエンティティ（例えば、基地局）は、そのサービスエリアまたはセル内のいくつかまたは全てのデバイスおよび機器の間の通信のためのリソースを割り当てる。本開示内では、以下でさらに説明するように、スケジューリングエンティティは、１つまたは複数の下位エンティティのためのリソースをスケジューリングし、割り振り、再構成し、解放することを担当し得る。すなわち、スケジューリングされた通信のために、下位エンティティは、スケジューリングエンティティによって割り当てられたリソースを利用する。基地局は、スケジューリングエンティティとして機能し得る唯一のエンティティではない。すなわち、いくつかの例では、ＵＥは、１つまたは複数の下位エンティティ（例えば、１つまたは複数の他のＵＥ）のためのリソースをスケジューリングするスケジューリングエンティティとして機能し得る。この例では、ＵＥはスケジューリングエンティティとして機能しており、他のＵＥは、ワイヤレス通信のためにＵＥによってスケジュールされたリソースを利用する。ＵＥは、ピア・ツー・ピア（Ｐ２Ｐ）ネットワーク中、および／またはメッシュネットワーク中のスケジューリングエンティティとして機能し得る。メッシュネットワークの例では、ＵＥは、スケジューリングエンティティとの通信に加えて、任意で互いと直接通信し得る。
【００４０】
[0058]  従って、時間周波数リソースへのスケジュールされたアクセスを有し、セルラ構成、Ｐ２Ｐ構成、およびメッシュ構成を有するワイヤレス通信ネットワークでは、スケジューリングエンティティおよび１つまたは複数の従属エンティティは、スケジュールされたリソースを利用して通信し得る。
【００４１】
[0059]  上記のように、ＲＡＮはＣＵおよびＤＵを含み得る。ＮＲ ＢＳ（例えば、ｅＮＢ、５ＧノードＢ、ノードＢ、送受信ポイント（ＴＲＰ：transmission reception point）、アクセスポイント（ＡＰ）、またはｇＮＢ）は、１つまたは複数のＢＳに対応し得る。ＮＲセルは、アクセスセル（ＡＣｅｌｌ）またはデータ専用セル（ＤＣｅｌｌ）として構成できる。例えば、ＲＡＮ（例えば、中央ユニットまたは分散ユニット）は、セルを構成できる。ＤＣｅｌｌは、キャリアアグリゲーションまたは二重接続のために使用されるセルであり得るが、初期アクセス、セル選択／再選択、またはハンドオーバのためには使用されない。いくつかのケースでは、ＤＣｅｌｌは、同期信号を送信しない可能性がある―いくつかのケースではＤＣｅｌｌは、ＳＳを送信し得る。ＮＲ ＢＳは、セルタイプを示すダウンリンク信号をＵＥに送信し得る。セルタイプインジケーションに基づいて、ＵＥは、ＮＲ ＢＳと通信し得る。例えば、ＵＥは、示されたセルタイプに基づいて、セル選択、アクセス、ハンドオーバ、および／または測定について考慮するために、ＮＲ ＢＳを決定し得る。
【００４２】
[0060]  図２は、分散された無線アクセスネットワーク（ＲＡＮ）２００の例となる論理アーキテクチャを図示しており、図１に図示されるワイヤレス通信システム中で実施され得る。５Ｇアクセスノード２０６は、アクセスノードコントローラ（ＡＮＣ：access node controller）２０２を含み得る。ＡＮＣは、分散ＲＡＮ２００の中央ユニット（ＣＵ：central unit）であり得る。次世代コアネットワーク（ＮＧ−ＣＮ）２０４へのバックホールインターフェースは、ＡＮＣにおいて終了し得る。隣接する次世代アクセスノード（ＮＧ−ＡＮ：neighboring next generation access nodes）へのバックホールインターフェースは、ＡＮＣにおいて終了し得る。ＡＮＣは、１つまたは複数のＴＲＰ２０８（ＢＳ、ＮＲ ＢＳ、ノードＢ、５Ｇ ＮＢ、ＡＰ、ｇＮＢ、または何らかの他の用語と呼ばれることもある）を含み得る。上述されるように、ＴＲＰは、「セル」と同義で使用され得る。
【００４３】
[0061]  ＴＲＰ２０８は、ＤＵであり得る。ＴＲＰは、１つのＡＮＣ（ＡＮＣ２０２）または１つ以上のＡＮＣ（図示されない）に接続され得る。例えば、ＲＡＮ共有、サービスとしての無線（ＲａａＳ：radio as a service）、およびサービス固有ＡＮＤ展開（service specific AND deployments）について、ＴＲＰは、１つ以上のＡＮＣに接続され得る。ＴＲＰは、１つまたは複数のアンテナポートを含み得る。ＴＲＰは、個別に（例えば、動的選択）または共同で（例えば、共同送信）ＵＥへのトラフィックをサービスするように構成され得る。
【００４４】
[0062]  ローカルアーキテクチャ２００は、フロントホール定義を示すために使用され得る。異なる展開タイプにわたるフロントホールソリューションをサポートするアーキテクチャが定義され得る。例えば、アーキテクチャは、送信ネットワーク能力（例えば、帯域幅、レイテンシ、および／またはジッタ）に基づき得る。
【００４５】
[0063]  アーキテクチャは、特徴および／または構成要素をＬＴＥと共有し得る。態様によれば、次世代ＡＮ（ＮＧ−ＡＮ）２１０は、ＮＲとのデュアル接続性をサポートし得る。ＮＧ−ＡＮは、ＬＴＥおよびＮＲのための共通フロントホールを共有し得る。
【００４６】
[0064]  アーキテクチャは、ＴＲＰ２０８間（between and among）の協調を可能にし得る。例えば、協調は、ＡＮＣ２０２を介して、ＴＲＰ内および／またはＴＲＰにわたって事前設定され得る。複数の態様に従って、ＴＲＰ間インターフェース（inter-TRP interface）が必要とされ得ない／存在し得ない。
【００４７】
[0065]  態様によれば、分割論理機能の動的構成がアーキテクチャ２００内に存在し得る。図５を参照してより詳細に説明するように、無線リソース制御（ＲＲＣ：Radio Resource Control）レイヤ、パケットデータコンバージェンスプロトコル（ＰＤＣＰ：Packet Data Convergence Protocol）レイヤ、無線リンク制御（ＲＬＣ）レイヤ、媒体アクセス制御（ＭＡＣ：Medium Access Control）レイヤ、および物理（ＰＨＹ：Physical）レイヤは、ＤＵまたはＣＵ（例えば、それぞれＴＲＰまたはＡＮＣ）に適応的に配置され得る。ある特定の態様に従って、ＢＳは、中央ユニット（ＣＵ：central unit）（例えば、ＡＮＣ２０２）および／または１つまたは複数の分散ユニット（例えば、１つまたは複数のＴＲＰ２０８）を含み得る。
【００４８】
[0066]  図３は、本開示の態様による、分散ＲＡＮ３００の例示的な物理アーキテクチャを示す。集中コアネットワークユニット（Ｃ−ＣＵ：core network unit）３０２は、コアネットワーク機能をホストし得る。Ｃ−ＣＵは、集中配置され（centrally deployed）得る。Ｃ−ＣＵ機能は、ピーク容量を処理しようとして、（例えば、アドバンスドワイヤレスサービス（ＡＷＳ：advanced wireless services）に）オフロードされ得る。
【００４９】
[0067]  集中型ＲＡＮユニット（Ｃ−ＲＵ：centralized RAN unit）３０４は、１つまたは複数のＡＮＣ機能をホストし得る。任意で、ＣーＲＵは、コアネットワーク機能をローカルにホストできる。Ｃ−ＲＵは、分散型配置（distributed deployment）を有し得る。Ｃ−ＲＵは、ネットワークエッジに近い可能性がある。
【００５０】
[0068]  ＤＵ３０６は、１つまたは複数のＴＲＰ（エッジノード（ＥＮ：edge node）、エッジユニット（ＥＵ：edge unit）、無線ヘッド（ＲＨ：radio head）、スマート無線ヘッド（ＳＲＨ：smart radio head）、または同様のもの）をホストし得る。ＤＵは、無線周波数（ＲＦ：radio frequency）機能を有するネットワークのエッジに位置し得る。
【００５１】
[0069]  図４は、図１に図示されたＢＳ１１０およびＵＥ１２０の構成要素の例を図示し、これらは本開示の態様を実施するように使用され得る。上述されるように、ＢＳは、ＴＲＰを含み得る。ＢＳ１１０およびＢＳ１２０の１つまたは複数の構成要素は、本開示の態様を実施するために使用され得る。例えば、ＵＥ１２０のアンテナ４５２、プロセッサ４６６、４５８、４６４、および／もしくはコントローラ／プロセッサ４８０、並びに／またはＢＳ１１０のアンテナ４３４、プロセッサ４６０、４２０、４３８、および／もしくはコントローラ／プロセッサ４４０は、本明細書で説明され、図６〜図１３を参照して示された動作を行うために使用され得る。
【００５２】
[0070]  図４は、図１におけるＢＳのうちの１つおよびＵＥのうちの１つであり得る、ＢＳ１１０およびＵＥ１２０の設計のブロック図を示す。制限付き関連付けシナリオの場合、基地局１１０は図１中のマクロｅＮＢ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００５３】
[0071]  基地局１１０において、送信プロセッサ４２０は、データソース４１２からデータを受信し、コントローラ／プロセッサ４４０から制御情報を受信し得る。制御情報は、物理ブロードキャストチャネル（ＰＢＣＨ：Physical Broadcast Channel）、物理制御フォーマットインジケータチャネル（ＰＣＦＩＣＨ：Physical Control Format Indicator Channel）、物理ハイブリッドＡＲＱインジケータチャネル（ＰＨＩＣＨ：Physical Hybrid ARQ Indicator Channel）、物理ダウンリンク制御チャネル（ＰＤＣＣＨ：Physical Downlink Control Channel）などのためのものであり得る。データは、物理ダウンリンク共有チャネル（ＰＤＳＣＨ：Physical Downlink Shared Channel）などのためのものであり得る。送信プロセッサ４２０は、データと制御情報とを処理（例えば、符号化およびシンボルマッピング）し、データシンボルと制御シンボルとをそれぞれ取得できる。プロセッサ４２０はまた、例えば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を行い得、出力シンボルストリームを変調器（ＭＯＤ）４３２ａ〜４３２ｔに提供し得る。例えば、ＴＸ ＭＩＭＯプロセッサ４３０は、ＲＳ多重化のために本明細書で説明するいくつかの態様を行い得る。各変調器４３２は、出力サンプルストリームを取得するために、（例えば、ＯＦＤＭなどの）それぞれの出力シンボルストリームを処理し得る。各変調器４３２はさらに、ダウンリンク信号を取得するために、出力サンプルストリームを処理（例えば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００５４】
[0072]  ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに提供し得る。各復調器４５４は、入力サンプルを取得するために、それぞれの受信信号を調整（例えば、フィルタ処理、増幅、ダウンコンバート、およびデジタル化）し得る。各復調器４５４は、さらに、受信シンボルを取得するために、（例えば、ＯＦＤＭなどの）入力サンプルを処理し得る。ＭＩＭＯ検出器４５６は、全ての復調器４５４ａ〜４５４ｒから受信シンボルを取得し、適用可能な場合は受信シンボルに対してＭＩＭＯ検出を行い、検出シンボルを提供し得る。例えば、ＭＩＭＯ検出器４５６は、本明細書で説明する技法を使用して送信された、検出されたＲＳを提供し得る。受信プロセッサ４５８は、検出シンボルを処理（例えば、復調、デインターリーブ、および復号）し、ＵＥ１２０の復号されたデータをデータシンク４６０に提供し、復号された制御情報をコントローラ／プロセッサ４８０に提供し得る。１つまたは複数のケースによると、ＣｏＭＰの態様は、それらが分散ユニット内に存在するように、アンテナ、並びにいくつかのＴｘ／Ｒｘ機能を提供することを含み得る。例えば、いくつかのＴｘ／Ｒｘ処理が中央ユニットで行われ得、一方、他の処理は、分散ユニットにおいて行われる。例えば、図に示されるような１つまたは複数の態様によると、ＢＳ変調器／変調器４３２は、分散ユニットにあり得る。
【００５５】
[0073]  アップリンク上では、ＵＥ１２０において、送信プロセッサ４６４が、データソース４６２から（例えば、物理アップリンク共有チャネル（ＰＵＳＣＨ）のための）データを、コントローラ／プロセッサ４８０から（例えば、物理アップリンク制御チャネル（ＰＵＣＣＨ：Physical Uplink Control Channel）のための）制御情報を、受信および処理し得る。送信プロセッサ４６４はまた、基準信号のための基準シンボルを生成し得る。送信プロセッサ４６４からのシンボルは、適用可能な場合はＴＸ ＭＩＭＯプロセッサ４６６によってプリコードされ、さらに（例えば、ＳＣ−ＦＤＭなどのために）復調器４５４ａ〜４５４ｒによって処理され、基地局１１０に送信され得る。ｅＮＢ１１０において、ＵＥ１２０からのアップリンク信号は、アンテナ４３４によって受信され、復調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。受信プロセッサ４３８は、復号されたデータをデータシンク４３９に提供し、復号された制御情報をコントローラ／プロセッサ４４０に提供し得る。
【００５６】
[0074]  コントローラ／プロセッサ４４０および４８０は、それぞれ基地局１１０およびＵＥ１２０における動作を指示し得る。基地局１１０におけるプロセッサ４４０および／または他のプロセッサおよびモジュールは、本明細書で説明される技法のためのプロセスを行うかまたは指示し得る。基地局１２０におけるプロセッサ４８０および／または他のプロセッサおよびモジュールは、本明細書で説明される技法のための処理を行うか、または指示し得る。メモリ４４２および４８２は、それぞれＢＳ１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００５７】
[0075]  図５Ａは、ＤＬ中心サブフレーム(DL-centric subframe)の一例を示す図５００Ａである。ＤＬ中心サブフレームは、制御部５０２Ａを含み得る。制御部５０２Ａは、ＤＬ中心サブフレームの初期または開始部分に存在し得る。制御部５０２Ａは、ＤＬ中心サブフレームの様々な部分に対応する様々なスケジューリング情報および／または制御情報を含み得る。いくつかの構成では、制御部５０２Ａは、図５Ａで示されるように、物理ＤＬ制御チャネル（ＰＤＣＣＨ）であり得る。ＤＬ中心サブフレームはまた、ＤＬデータ部５０４Ａも含み得る。ＤＬデータ部５０４Ａは、ＤＬ中心サブフレームのペイロードと呼ばれることもある。ＤＬデータ部５０４Ａは、スケジューリングエンティティ２０２（例えば、ｅＮＢ、ＢＳ、ノードＢ、５Ｇ ＮＢ、ＴＲＰ、ｇＮＢなど）から下位エンティティ、例えば、ＵＥ１２０にＤＬデータを通信するために利用される通信リソースを含み得る。いくつかの構成では、ＤＬデータ部５０４Ａは、物理ＤＬ共有チャネル（ＰＤＳＣＨ）であり得る。ＤＬ中心サブフレームはまた、共通ＵＬ部５０６Ａを含み得る。共通ＵＬ部５０６Ａは、ＵＬバースト、共通ＵＬバースト、および／または様々な他の適切な用語で呼ばれることもある。共通ＵＬ部５０６Ａは、ＤＬ中心サブフレームの様々な他の部分に対応するフィードバック情報を含み得る。例えば、共通ＵＬ部５０６は、制御部５０２Ａに対応するフィードバック情報を含み得る。フィードバック情報の限定されない例は、ＡＣＫ信号、ＮＡＣＫ信号、ＨＡＲＱインジケータ、および／または他の適切なタイプの情報を含み得る。共通ＵＬ部５０６Ａは、ランダムアクセスチャネル（ＲＡＣＨ：random access channel）プロシージャ、スケジューリングリクエスト（ＳＲ：scheduling request）、サウンディング基準信号（ＳＲＳ：sounding reference signal）および様々な他の適切なタイプの情報に関連する情報などの、追加的または代替的な情報を含み得る。図５Ａに示されるように、ＤＬデータ部５０４Ａの終端は、共通ＵＬ部５０６Ａの始端から時間的に分離され得る。この時間分離は、ギャップ、ガード期間、ガードインターバル、および／または様々な他の適切な用語で呼ばれることもある。この分離は、ＤＬ通信（例えば、下位エンティティ（例えば、ＵＥ１２０）による受信動作）から、ＵＬ通信（例えば、下位エンティティ（例えば、ＵＥ１２０）による送信）への切り替えのための時間を提供する。前述のものが単にＤＬ中心サブフレームの一例であり、また、同様の特徴を有する代替的構成が、本明細書で説明される態様から必ずしも逸脱せずに存在し得ることを、当業者は理解するだろう。
【００５８】
[0076]  図５Ｂは、ＵＬ中心サブフレーム(UL-centric subframe)の一例を示す図５００Ｂである。ＵＬ中心サブフレームは、制御部５０２Ｂを含み得る。制御部５０２Ｂは、ＵＬ中心サブフレームの初期または開始部分に存在し得る。図５Ｂ中の制御部５０２Ｂは、図５Ａを参照して上述された制御部５０２Ａと同様であり得る。ＵＬ中心サブフレームはまた、ＵＬデータ部５０４Ｂも含み得る。ＵＬデータ部５０４Ｂは、ＵＬ中心サブフレームのペイロードと呼ばれ得ることもある。ＵＬ部分は、下位エンティティ、例えばＵＥ１２０から、スケジューリングエンティティ２０２（例えば、ｅＮＢ）にＵＬデータを通信するために利用される通信リソースを指し得る。いくつかの構成では、制御部５０２Ｂは、物理ＵＬリンク制御チャネル（ＰＵＣＣＨ）であり得る。図５Ｂに示されるように、制御部５０２Ｂの終端は、ＵＬデータ部５０４Ｂの始端から時間的に分離され得る。この時間分離は、ギャップ、ガード期間、ガードインターバル、および／または様々な他の適切な用語で呼ばれることもある。この分離は、ＤＬ通信（例えば、スケジューリングエンティティ２０２による受信動作）から、ＵＬ通信（例えば、スケジューリングエンティティ２０２による送信）への切り替えのための時間を提供する。ＵＬ中心サブフレームはまた、共通ＵＬ部５０６Ｂを含み得る。図５Ｂ中の共通ＵＬ部５０６Ｂは、図５Ａに関連して上述された共通ＵＬ部５０６Ａと同様であり得る。共通ＵＬ部５０６Ｂは、追加的にまたは代替的に、チャネル品質インジケータ（ＣＱＩ：channel quality indicator）、サウンディング基準信号（ＳＲＳ）、および様々な他の適切なタイプの情報に関連する情報を含み得る。前述のものが単にＵＬ中心サブフレームの一例であり、また、同様の特徴を有する代替的構成が、本明細書で説明される態様から必ずしも逸脱せずに存在し得ることを、当業者は理解するだろう。要約すると、ＵＬ中心サブフレームは、１つまたは複数の移動局から基地局にＵＬデータを送信するために使用され得、ＤＬ中心サブフレームは、基地局から１つまたは複数の移動局にＤＬデータを送信するために使用され得る。一例において、フレームは、ＵＬ中心サブフレームとＤＬ中心サブフレームの両方を含み得る。この例では、フレーム中のＤＬサブフレームに対するＵＬ中心サブフレームの比率は、送信される必要があるＵＬデータの量およびＤＬデータの量に基づいて動的に調整され得る。例えば、より多くのＵＬデータが存在する場合、ＤＬサブフレームに対するＵＬ中心サブフレームの比率が増加され得る。逆に、より多くのＤＬデータがある場合、ＤＬサブフレームに対するＵＬ中心サブフレームの比率は減少され得る。  
＜ＮＲ−ＳＳにおけるリソース割り振り＞  
[0077]  各リソース要素（ＲＥ：resource element）は、１つのシンボル期間中の１つのサブキャリアをカバーし得、実数値または複素数値であり得る１つの変調シンボルを送るために使用され得る。リソース要素は、物理リソースブロック（ＰＲＢ：physical resource blocks）にグループ化され得る。ＬＴＥでは、ＰＲＢは、０．５ミリ秒または１スロットによる１８０ｋＨｚ（１２サブキャリア）の時間／周波数リソースである。各スロットは、６個または７個のシンボルを有し、６個は拡張ＣＰ用であり、７個のシンボルは通常ＣＰ用である。物理リソースブロック（ＰＲＢ）は、リソースブロックグループ（ＲＢＧ：Resource Block Groups）と呼ばれるより大きい無線リソースにグループ化され得る。ＮＲは、ＬＴＥとは異なるサブキャリア間隔を有し得る。従って、ＰＲＢは、異なる周波数帯域幅にまたがり得る。
【００５９】
[0078]  スケジューラが各送信のためにリソースブロックを割り当てる方法は、リソース割り当てタイプによって指定される。ビットマップ（ビットストリーム）のストリングを使用することは、各ビットが複数のリソースブロックのうちの１つを表すリソースブロックを割り当てる最大の柔軟性を与える方法を提供する。この手法は、最大の柔軟性をもたらし得るが、リソースを割り当てる複雑な方法とともに、あまりにも多くのオーバーヘッド（例えば、長いビットマップ）を作成することがある。従って、この問題に対処するために、数個のリソース割り当てタイプがＬＴＥによって導入された。予め定義されたプロセスは、リソース割り当てタイプの各々によって使用される。ＬＴＥでは、３つの異なるリソース割り当てタイプ、リソース割り当てタイプ０、１、２が存在する。以下の表１を参照されたい。
【００６０】
【表１】
2021507624.tif 000003
【００６１】
[0079]  表１のリストは、ＬＴＥにおけるリソース割り当てタイプの現在の定義であることに留意されたい。
【００６２】
[0080]  複数のＰＲＢにおける異なるフィードバックおよびリソース粒度が、ＮＲとともに使用され得る。ＬＴＥでは、１０ＭＨｚのシステム帯域幅に対して、３ＧＰＰ規格は、３個のＰＲＢのＲＢＧサイズに対するリソースユニット粒度を指定し、これは、ＢＳスケジューラが（リソース割り当てタイプ０において）ＵＥに割り振ることができるリソースの最小量を指定する。ＮＲでは、ＲＢＧサイズはＬＴＥとは異なり得る。
【００６３】
[0081]  リソース割り当てタイプ０は、最初にリソースブロックを複数のリソースブロックグループ（ＲＢＧ）に分割することによってリソースを割り当てる。各リソースブロックグループ（ＲＢＧ）内の物理リソースブロックの数は、システム帯域幅で変化する。ＲＢＧサイズは、システム帯域幅で変化する。ＬＴＥにおけるＲＢＧサイズ（リソースブロックグループ（ＲＢＧ）内の物理リソースブロック（ＰＲＢ）の数）とシステム帯域幅との関係を以下の表２に示す。
【００６４】
【表２】
2021507624.tif 000004
【００６５】
[0082]  上記で説明したＬＴＥと同様に、ＮＲは、構成された帯域幅部分（ＢＷＰ：bandwidth part）に応じて異なるＲＢＧサイズをサポートすることに合意し、ここで、ＲＧＢサイズは、ＰＲＢの数によって測定され、ＢＷＰは、ＵＥが使用することになるシステムＢＷの部分である。異なる帯域幅部分（ＢＷＰ）構成を有するＵＥは、異なるＲＢＧサイズを有し得る。これは、より小さいＢＷＰを有するＵＥが、シグナリングにおいてより正確なまたはより細かいＲＢＧ粒度を有すること、またはＰＲＢに関してより小さいＲＢＧサイズを有することを可能にし、一方、より大きいＢＷＰを有するＵＥは、ＲＢＧサイズにおいてより粗い粒度を有すること、またはＰＲＢに関してより大きいＲＢＧサイズを有できる。以下の表３に示すように、１．４ＭＨｚのシステムＢＷの場合、粒度は１ＰＲＢであり、２０ＭＨｚのシステムＢＷの場合、粒度は４ＰＲＢである。これは、ＲＢＧサイズ（またはＰＲＢにおける粒度）対構成された帯域幅部分（ＢＷＰ）の一例である。
【００６６】
【表３】
2021507624.tif 000005
【００６７】
[0083]  ＵＥは、より良い電力消費のためにＢＷＰ構成に基づいてそのＲＦリソースを開放（または使用）し得る。例えば、８０ＭＨｚシステムでは、ＵＥは、２０ＭＨｚまたは４０ＭＨｚのみを使用することによって電力を節約するために８０ＭＨｚ未満を使用し得、ここで、システムは最大８０ＭＨｚの帯域幅を有し得る。ＢＷＰは、（ＲＦコストを最小化するために）ＮＲ構成において連続していることが予期される。例えば、ＵＥが２０ＭＨｚを使用する場合、２つの１０ＭＨｚチャネルが連続している場合、１つのフィルタのみが使用され得るが、２つの１０ＭＨｚチャネルが８０ＭＨｚスペクトルの両端（opposite ends）に位置する場合、２つのフィルタが使用されなければならないことがある。物理リソースブロックグループ（ＲＢＧ）は、ＰＨＹ／ＭＡＣパラメータ（アクティブＤＦＴ拡散、ＴＴＩ長、タイト／リラックス時間周波数アライメント（tight/relaxed time-frequency alignment）、または波形パラメータなど）を有する。ＮＲが構成可能なエアインターフェースを提供できる１つの理由は、異なるＲＢＧが異なるヌメロロジおよびパラメータを有し得るからである。例えば、周波数が７２０ｋＨｚまたは１４４０ｋＨｚ、および時間が１ｍｓ（１２個のサブキャリアおよび１４個のシンボルに対応する）は、リソースブロックグループ（ＲＢＧ）の２つの例示的なサイズである。ＴＴＩ（Transmission Time Interval）は、ＬＴＥにおける最小のスケジューリング時間間隔である。
【００６８】
[0084]  ＮＲ−ＳＳでは、各送信機会（ＴＸＯＰ：transmission opportunity）について、ノードが、成功したＬＢＴ結果を有する媒体にアクセスし、媒体センシングに応じて１つのチャネルまたは複数のチャネルを予約することが可能であり得る。すなわち、別のノード、例えば、ＷｉＦｉノードによって現在占有されているチャネルがリッスンビフォアトーク（ＬＢＴ）プロシージャ中のＵＥによってセンスされる場合、ＵＥは、情報を送信するためにそれらを使用できない。（送信機会（ＴＸＯＰ）は、端末へのアクセスポイントによって許可され、局がフレームを送ることができる持続時間を指す）。例えば、８０ＭＨｚシステムでは、ネイバーＷｉＦｉノードがいくつのチャネルを占有するかに応じて、ノードが８０、６０、４０、または２０ＭＨｚを占有し得、各ＷｉＦｉチャネルアクセスは２０ＭＨｚであると定義される。さらに、ＷｉＦｉノードによって占有されるチャネルは、８０ＭＨｚ内で連続していないことがある。
【００６９】
[0085]  ＵＥまたはｇＮＢは、ＷｉＦｉと共存するために媒体センシングを行う。ノード（ＵＥまたはｇＮＢのいずれか）がチャネルを使用することは、そのチャネルについて成功したＬＢＴプロシージャをまず有することなしにはできない。この例では、ノードのＢＷＰが８０ＭＨｚである場合、ノードは、８０ＭＨｚ全体のためのＲＦリソースを使用し得、成功したＬＢＴ結果を有する媒体にアクセスし、４つの２０ＭＨｚチャネル全てを予約できる場合、８０ＭＨｚ全体上で送信し得る。しかしながら、ＬＢＴプロシージャの結果が、２０ＭＨｚチャネルが占有されていない場合、ＲＢＧサイズは低減され得る。媒体センシングのために、媒体占有状態が分かると、ＲＢＧサイズが調整され得る。
【００７０】
[0086]  一例において、方法および装置は、ノードが成功したＬＢＴ結果を有する媒体にアクセスできてＵＥのためにより多くのチャネルを予約するとき、より粗い（またはより大きい）ＲＢＧサイズを有する一方で、ノードが成功したＬＢＴ結果を有する媒体にアクセスできてＲＢＧベースのリソース割り当てを有するより少ないチャネルを予約するとき、より細かい（またはより小さい）ＲＢＧ粒度を有する。第１の例では、ＲＢＧサイズは動的であり得、媒体占有、すなわち、情報を送信および／または受信するためにＵＥによってどのチャネルが使用されるかに依存し得る。ＰＤＣＣＨにおけるリソース割り当て（ＲＡ）は、占有されたチャネルを指し示す。例えば、成功したＬＢＴ結果を有する媒体にノードがアクセスでき、第２のチャネルを予約する場合、第１のチャネルは使用されないかまたは占有されないので、ＰＤＣＣＨ内の第１の割り振られたＲＢＧ、ＰＤＣＣＨ内のＲＢＧ０は、第２のチャネルで発見される。ｇＮＢによって２０ＭＨｚのみが占有されるので、ｇＮＢが８０ＭＨｚ全てを占有している場合とは対照的に、より細かいＲＢＧサイズが使用される。ｇＮＢの媒体占有状態に応じ、ＲＢＧサイズは動的に変化できる。
【００７１】
[0087]  ＰＤＣＣＨ上で搬送されるデータは、ダウンリンク制御情報（ＤＣＩ：downlink control information）と呼ばれることがある。複数のワイヤレスデバイスは、無線フレームの１つのサブフレームにおいてスケジュールされ得る。従って、複数のＤＣＩメッセージは、複数のＰＤＣＣＨを使用して送られ得る。ＰＤＣＣＨ内のＤＣＩ情報は、１つまたは複数の制御チャネル要素（ＣＣＥ：control channel element）を使用して送信され得る。ＣＣＥは、リソース要素グループ（ＲＥＧ：resource element group）のグループから構成され得る。ＬＴＥにおけるレガシＣＣＥは、最大９つのＲＥＧを含むことができる。各レガシＲＥＧは、４つのリソース要素（ＲＥ）から構成され得る。直交変調が使用されるとき、各リソース要素は２ビットの情報を含むことができる。従って、レガシＣＣＥは、最大７２ビットの情報を含むことができる。ＤＣＩメッセージを搬送するために７２ビットを超える情報が使用されるとき、複数のＣＣＥが採用され得る。複数のＣＣＥの使用は、アグリゲーションレベルと呼ばれ得る。一例において、アグリゲーションレベルは、１つのレガシＰＤＣＣＨに割り当てられた１、２、４、または８個の連続するＣＣＥとして定義され得る。
【００７２】
[0088]  第１の解決策では、ｇＮＢは、ＰＲＢにおいてＲＢＧ粒度とともに非常に多くの帯域幅が占有されるように、別個の物理レイヤチャネル（すなわち、Ｌ１チャネル）上で情報をＵＥに送り、ここで、Ｌ１チャネルは、オーバージエア物理レイヤ（over the air physical layer）である。より具体的には、ｇＮＢは、ＲＢＧサイズとともに媒体を占有することをＵＥに示すために、Ｌ１チャネル上で搬送される別個のシグナリングを使用する。例えば、ノードは、ＲＢＧサイズがＸ ＲＢである８０ＭＨｚチャネル上で媒体アクセスを有することを示すことができ、またはＲＢＧサイズがＹ ＲＢである２０ＭＨｚチャネル上で媒体アクセスを有することを示すことができる。一例において、Ｙ ＲＢはＸ ＲＢよりサイズが小さい。例えば、ｇＮＢが８０ＭＨｚを占有するとき、１６ＰＲＢのＲＢＧサイズを使用し、２０ＭＨｚを占有するとき、４ＰＲＢのＲＢＧサイズを使用する。別個のＬ１レイヤは、ＰＤＣＣＨのようにＵＥ固有であるのとは対照的に、ＰＣＦＩＣＨのようにｇＮＢまたはｇＮＢに関連付けられたＵＥのグループに共通のチャネルを搬送できる。ＵＥはまた、図６に示されるようなＲＲＣ構成メッセージと呼ばれるＲＲＣからのメッセージを使用して、チャネルおよびＲＢＧサイズで構成され得る。各ＵＥのためのリソース割り当て（ＲＡ）のために使用される実際のＲＢＧは、最小（ＲＲＣ ＲＢＧ、Ｌ１ ＲＢＧ）であり得、ここで、ＲＲＣ ＲＢＧは、ＲＲＣレイヤにおいて構成されるＲＢＧサイズであり、Ｌ１ ＲＢＧは、Ｌ１レイヤ上でシグナリングされるＲＢＧサイズである。
【００７３】
[0089]  ロバスト性を改善するために、Ｌ１レイヤ上で搬送されるそのような情報は、ＴＸＯＰの最初のスロット中で送信され、ＴＸＯＰの後続のスロット中で繰り返され得る。
【００７４】
[0090]  第２の解決策では、ノードは、別個の共通Ｌ１チャネル上で搬送される情報中の媒体占有を示すが、ＲＢＧサイズはシグナリングされない。代わりに、ＲＢＧサイズと媒体占有または構成されたＢＷＰとの間に暗黙的マッピングが存在する。そのような暗黙的マッピングは、ＵＥに対して予め定義されるか、または構成されるかのいずれかであり得る。この例では、ＵＥは、ＲＢＧサイズに対する媒体占有のマッピングを用いて事前構成される。図７は、１〜４チャネルのＲＢＧサイズに対する媒体占有の例示的なマッピングを示し、２０ＭＨｚは１チャネルに等しく、４０ＭＨｚは２チャネルに等しく、６０ＭＨｚは３チャネルに等しく、８０ＭＨｚは４チャネルに等しく、対応するＲＢＧサイズは、ＲＢＧＸ１、ＲＢＧＸ２、ＲＢＧＸ３、およびＲＢＧＸ４である。例えば、ＲＢＧサイズがＸ ＰＲＢである場合、ノードは８０ＭＨｚチャネル上で送信でき、ＲＢＧサイズがＹ ＰＲＢである場合、ノードは２０ＭＨｚチャネル上で送信する。例えば、ｇＮＢが８０ＭＨｚを占有するとき、１６ＰＲＢのＲＢＧサイズを使用し、２０ＭＨｚを占有するとき、４ＰＲＢのＲＢＧサイズを使用する。チャネル占有（または構成帯域幅（ＢＷＰ））とＲＢＧサイズとの間のマッピングが、ＵＥ固有であり得ることに留意されたい。
【００７５】
[0091]  第３の解決策では、ノードは、Ｃ−ＲＮＴＩ ＰＤＣＣＨのようなＵＥのためのＵＥ固有シグナリングチャネルにおける媒体占有を示す。ＰＤＣＣＨは、リソース割り当てを搬送するために使用され得るフィールドを有するので、媒体占有をシグナリングするために別個のチャネルは使用されない。しかしながら、第２の解決策と同様に、チャネル占有（または構成された帯域幅（ＢＷＰ））とＲＢＧサイズとの間に暗黙的または予め定義されたマッピングが存在する。ＵＥは、適宜、媒体占有に基づいてＲＢＧサイズを解釈する。暗黙的マッピングは、第２の解決策と同様である。従って、以前はＬ１レイヤ上で搬送される共通信号が、ＢＷＰを用いてＵＥを構成するために媒体占有を搬送するために使用される一方、ここでは、ＵＥ固有のＰＤＣＣＨが使用される。両方の解決策において、ＲＢＧサイズは、媒体占有に暗黙的にマッピングされる。一例において、ＵＥは、図７に示す表を用いて事前構成され得る。また、ここではビットマップを用いてもよい。例えば、４つの２０ＭＨｚチャネルを備える８０ＭＨｚシステム帯域幅では、４ビットのビットマップがＰＤＣＣＨにおいて導入され得る。ｇＮＢは、ビットマップを介して媒体占有を示し、ＵＥは、媒体占有に基づいてＲＢＧサイズを解釈する。チャネルおよびＲＢＧサイズでＵＥを構成するためにビットマップを使用することを開示する図８を参照されたい。一例において、ビットマップ中の少なくとも１つのビットは、１つまたは複数のＲＢＧを表す。リソース割り当てがＲＢＧベースである場合、ビットマップは、ＵＥによって占有される最初および最後のＲＢＧを示し得る。
【００７６】
[0092]  ノードが、成功したＬＢＴ結果を有する媒体にアクセスでき、ＢＷの全てが占有されないように、全てではないがいくつかのチャネルを予約する場合、追加のガードバンドが使用され得る。例えば、ノードが２０ＭＨｚチャネルを予約するが、４０ＭＨｚ、６０ＭＨｚ、または８０ＭＨｚチャネルを予約しない場合、それは、隣接チャネル漏洩電力比（ＡＣＬＲ：adjacent channel leakage-power ratio）に適応するために２０ＭＨｚ帯域幅の各サイドに追加のガードバンドを付与することによってより良好に機能し得る。ＬＴＥなどのデジタル通信システムにおいて、送信信号から隣接チャネルに漏洩する電力は、ＡＣＬＲと呼ばれる。これは、現在のノードによって占有されていない隣接チャネルにおける送信と干渉することによって、システム性能を損なう可能性がある。従って、システム送信機は、ＡＣＬＲを回避するために指定された制限内で動作する。一方、２０ＭＨｚチャネルは、ノードが、一例において４つの２０ＭＨｚチャネルである全てのチャネルへのアクセスを得る場合、いかなるガードバンドも使用しないことがある。この例では、ＵＥは、８０ＭＨｚである帯域幅全体を占有するので、各２０ＭＨｚチャネルにわたる隣接チャネル漏洩は懸念事項ではない。
【００７７】
[0093]  一例において、システム帯域幅に対する絶対ＰＲＢ０に基づくＲＢＧグリッドが使用される。システムＢＷが８０ＭＨｚであると仮定すると、ＰＲＢインデックスは、ノードが８０ＭＨｚシステムＢＷ全体よりも少なく占有する、例えば、２０ＭＨｚチャネルのうちの１つのみを占有する場合であっても、８０ＭＨｚと一致するように定義され得るdefFfig. 9ined。この場合、ＰＲＢインデックスは依然として続き、ＰＲＢインデックスは、８０ＭＨｚの一部が占有されている場合でも、８０ＭＨｚの場合に従って定義される。ＵＥは、割り振られたＲＢ／ＲＢＧ／インターレースを占有チャネルに変換できる。システム帯域幅に基づくＲＢＧグリッドは、各チャネルと整合しないことがある。ＲＢＧサイズに応じて、異なるチャネルにわたるＰＲＢは、同じＲＢＧに入り得る。例えば、図９Ａは、４つのチャネルへのＰＲＢおよびＲＢＧの割り当てを示す。以下でさらに詳細に説明する図９Ａでは、１つのＲＢＧ（すなわち、ＰＤＣＣＨでシグナリングされるＲＢＧ０）は、４つのＰＲＢからなる。ＵＥは、媒体占有状態情報とともに、ＰＤＣＣＨ内のＲＢＧ０をＰＲＢ４８、４９、５０、および５１に変換できる。ここで、ＲＢＧ０の最初の２つのＰＲＢ、ＰＲＢ４８および４９はチャネル０に属し、一方、ＲＢＧ０の最後の２つのＰＲＢ（ＰＲＢ５０および５１）はチャネル１に属する。加えて、ＰＲＢ４９および５０で示されるようにガードバンドが使用されるときにも、ガードバンド内のＰＲＢは、ＲＢＧに入り得る。
【００７８】
[0094]  一例において、ガードバンドは、チャネルごとに構成される。ＵＥは、占有チャネルに入る使用可能なＲＢを使用してトランスポートブロックサイズ（ＴＢＳ：transport block size）を計算し、それに応じてレートマッチングを行う。ＬＴＥシステムで物理階層が受信する上位レイヤ（または、ＭＡＣレイヤ）からのデータはトランスポートブロックと呼ばれる。一例において、物理リソースブロック（ＮＰＲＢ）の数およびＭＣＳ（変調およびコーディング方式）が、トランスポートブロックサイズを計算するために使用される。
【００７９】
[0095]  上述のように、ＲＢＧサイズは媒体占有状態に依存するが、ＰＲＧはシステム帯域幅に関して定義され得る。媒体占有状態が高いほど、ＲＢＧで使用されるＰＲＢユニットの数が大きくなる。例えば、ＲＢＧサイズが２個の物理リソースブロック（ＰＲＢ）であるとき、ＲＢＧ０は、ＰＲＢ０とＰＲＢ１とからなり、ＲＢＧ５０は、ＰＲＢ１００とＰＲＢ１０１とからなる。別の例では、ＲＢＧサイズが３ＲＢであるとき、ＲＢＧ１は、ＰＲＢ０、ＰＲＢ１、およびＰＲＢ２からなり、ＲＢＧ５０は、ＰＲＢ１５０、ＰＲＢ１５１、およびＰＲＢ１５２からなる。
【００８０】
[0096]  一例において、ガードバンドは、ＰＲＢの単位で定義され得る。ミニＰＲＢが使用されるとき、ガードバンドは、ミニＰＲＢの単位で測定され得る。成功したＬＢＴ結果を有する媒体にノードがアクセスすることができず、チャネルを予約するとき、（使用されるとき、左または右のいずれかのガードバンドを含む）チャネル内の完全なＲＢＧは、実際のリソース割り当てにカウントされない。ＰＲＢは、１２個のサブキャリアからなり、ミニＰＲＢは、１２個未満のＰＲＢからなるＲＢの一部を表す。例えば、ミニＰＲＢは、４つのサブキャリアからなることができる。
【００８１】
[0097]  一例において、各チャネルが５０個のＰＲＢを有すると仮定する。ｇＮＢがチャネル１およびチャネル３を割り当て（かつチャネル２および４は割り当てられない）、対応するＲＢＧサイズが４ＲＢである場合、ＲＢＧ０は、最初の１２個のＲＢＧ（すなわち、最初の４８ＰＲＢであり、各ＰＲＧ＝４ＰＲＢであるため、ＰＲＢ０〜４７）がカウントされないので、ＰＲＢ４８〜５１を含む。（ＰＲＢ０〜４７とともに）最初の１２個のＲＢＧは、ｇＮＢがチャネル０を占有しないので、カウントされない。従って、ＰＤＣＣＨにおいてシグナリングされるＲＢＧ０、開始ＲＢＧは、ＰＲＢ０〜３からＰＲＢ４８〜５１に効率的に変換される。
【００８２】
[0098]  予約されたチャネル（使用されるとき、ガードバンドを除く）にＲＢＧが部分的に入るとき、ＲＢＧ中の使用可能なＰＲＢが利用され得る。図９Ａに示す例では、ＰＲＢ４８〜５１を含む１３番目のＲＢＧは、使用可能なＰＲＢを有する第１のＲＢＧであり、この場合はＰＲＢ５１である。ＰＲＢ４８は、占有されていないチャネルに入るので使用できず、ＰＲＢ４９および５０は、ガードバンドに入るので使用できない。ＵＥは、占有されたチャネル、この場合はチャネル１との重複があるとき、ＰＲＢのカウントを始める。従って、ＲＢＧ０は、ＵＥによってＲＢＧ１２（すなわち、１３番目のＲＢＧ）に効率的に変換されている。残りのＲＢＧは、リソース割り当て（ＲＡ）フィールドのために順次番号付けされる。
【００８３】
[0099]  上述のように、図９Ａは、４つのチャネル、チャネル０〜３へのＰＲＢおよびＲＢＧの割り当てを示し、ここで、チャネル当たり５０個のＰＲＢが、４ＰＲＢのＲＢＧサイズとともに割り当てられる。チャネル０は、ＰＲＢ０〜４９にまたがる。チャネル１は、ＰＲＢ５０〜９９によって占有される。チャネル２は、ＰＲＢ１００〜１４９にまたがり、チャネル３は、ＰＲＢ１５０〜１９９によって占有される。リソース割り当てタイプ０は、リソースを割り当てるためにビットマップを使用し、各ビットは１つのＲＢＧを表す。ＲＢＧグリッドは、システム帯域幅に対応するＲＢＧ内のＰＲＢの数に基づいており、隣接チャネルからのＰＲＢ並びにガードバンドを含み得る。ＵＥが隣接チャネルからそれらのＲＢＧ、ＰＲＢ、並びにガードバンドを割り振られる場合、それは、レートマッチングを行い、並びにそれに応じてトランスポートブロックサイズ（ＴＢＳ）を計算するために、示されたチャネルに入る使用可能なＰＲＢを使用することとなる。この例では、ノードは、チャネル１およびチャネル３上で送信でき、ＲＢＧは、４ＰＲＢであると仮定される。ノードは、チャネル０またはチャネル２へのアクセスを有さず、真のＰＲＢ０またはＲＢＧ０を送信できず、その両方は、システムＢＷ全体を使用してチャネル０に位置するが、チャネル０はＵＥによって占有されていないので、ＰＲＢ４８〜５１に変換されている。ＰＤＣＣＨにおいて、リソース割り振りＲＢＧ０は、ＰＲＢ４８〜５１を備える実際のＲＢＧ１２上での送信についてＵＥに知らせる。ＰＤＣＣＨは、以下で説明するように、ＰＲＢ５１が送信に使用されることを示す。
【００８４】
[0100]  ここで、ＵＥは、有用なＲＢを有するチャネル１と重複する第１のＲＢＧであるので、ＰＤＣＣＨ中のシグナリングされたＲＢＧ０をＲＢＧ１２と解釈する。しかし、ＰＲＢ４８および４９はチャネル０に入り、ＰＲＢ５０はガードバンドに使用されるので、ＵＥは、ＰＲＢ５１のみが送信に使用され得ることを知っている。従って、ＵＥは、ＲＢＧ０が、ＰＲＢ４８〜５０をスキップし、占有されると示される場合、送信のためにＰＲＢ５１のみを使用することとなる。これは、ＰＤＣＣＨにおいて明示的にＰＲＢ５１またはＲＢＧ１２をシグナリングすることと比較して、リソース割り振りオーバーヘッドを節約する。
【００８５】
[0101]  前にＲＢＧベースのリソース割り当てを説明した。ＲＢＧベースのリソース割り当てでは、ビットは、ＲＢＧがＵＥに割り振られるか否かを示すために使用され得る１つまたは複数のＲＢＧに割り振られ得る。あるいは、コンパクトなリソース割り当てが、ＮＲ−ＳＳで使用されることもあり得る。コンパクトなリソース割り当てでは、ｇＮＢは、開始ＰＲＢ、ＲＢＧ、またはインターレース、並びにより少ないビットを使用することによるＲＢＧベースのリソース割り当てとは対照的にＲＡオーバーヘッドを低減するために後に続く占有されたＲＢ／ＲＢＧ／インターレースの数を示す。
【００８６】
[0102]  チャネルアクセスが連続していないとき、コンパクトＲＡ割り振りのために、ｇＮＢは、始点、並びにその始点に続くチャネルごとの占有されたＰＲＢ、ＲＢＧ、またはインターレースの数を示し得る。これは、大きなＲＡオーバーヘッドをもたらし得る。ＬＡＡシステムにおけるリソース割り当ては、リソースがＬＴＥでどのように割り当てられるかとは異なる。２０ＭＨｚ周波数帯域幅内の周波数において等間隔の１０個のリソースブロックから構成されるインターレースは、ＬＴＥ無認可チャネルのためのリソース割り当ての基本ユニットである。
【００８７】
[0103]  本例は、チャネルアクセスにかかわらず、ＰＲＢ、ＲＢＧ、またはインターレースの単一の始点と、始点に続く固定数のＰＲＢ、ＲＢＧ、またはインターレースとを使用する。これは、シグナリングの観点から、割り振りが、チャネルのうちのいくつかにアクセスするかまたはそれらを占有することが必ずしも可能ではなく、全てのチャネルにわたり得ることを意味する。ＵＥは、ガードバンドで発見されたＰＲＢを自動的にスキップするとともに、ｇＮＢがアクセスを有さないチャネル内のＰＲＢ、ＲＢＧ、またはインターレースを自動的にスキップし得る。従って、ガードバンド内のＰＲＢ、ＲＢＧ、またはインターレース、並びに占有されていないチャネルは、自動的にスキップされる。
【００８８】
[0104]  ガードバンドおよび占有されていないチャネル内のＲＢは、コンパクトリソース割り当て（ＲＡ）を使用するとき、自動的にスキップされる。従って、リソースを割り当てるこのコンパクトな方法は、ＰＲＢ、ＲＢＧ、またはインターレースがいくつ占有されることになるかに加えて、ＰＲＢ、ＲＢＧ、またはインターレースであり得る単一の始点を有する。これは、ホッピングを有するまたは有していないＲＡに適用される。図９Ｂは、この割り当て方法の一例を示す。図示の例では、チャネル０および３が、ＵＥによって占有されると仮定される。図示の図では、ＲＢＧサイズが４ＰＲＢであるとともに、チャネル当たり５０個のＰＲＢが存在する。チャネル０は、ＰＲＢ０〜４９によって占有され、チャネル３は、ＰＲＢ１５０〜１９９によって占有される。ｇＮＢは、チャネル０および３を予約し、この例では、５２個のＰＲＢの合計ＰＲＢ数とともに、ＰＲＢ０に等しい開始ＰＲＢをＵＥに割り当てる。他の例では、総ＰＲＢ数は５２とは異なり得る。この例では、ＵＥは、チャネル０および３上のアクセスを有することがｇＮＢによって既にシグナリングされている。開始ＰＲＢがＰＲＢ０であり、送信が５２個のＰＲＢを占有するｇＮＢからの割り振りをＵＥが受信する場合、それは、送信が実際にはＰＲＢ０〜４８（チャネル０に位置する４９個のＰＲＢ）並びにＰＲＢ１５１、１５２、および１５３（チャネル３に位置する３個のＰＲＢ）にまたがり、チャネル１および２における同様のＰＲＢ、ＰＲＢ５０〜１４９、並びにＰＲＢ４９およびＰＲＢ５０のようなガードバンドで発見されるＰＲＢを占有しないという点で、その間の全てのＰＲＢをスキップすることを知っている。ＵＥは、送信または受信のために使用可能な実際のＲＢを取得するために、ガードバンド内のＲＢ、並びにチャネル１および２内のＲＢを自動的にスキップすることとなる。ＰＲＢ４９およびＰＲＢ１５０は、それらがそれぞれチャネル０および３のガードバンド（ＧＢ）であるため、スキップされる。ＰＲＢ５０〜１４９は、ＵＥによって占有されていないチャネル１および２に位置するため、スキップされる。５２個の占有可能なＰＲＢを得るために、チャネル１におけるＰＲＢ０〜４８は、チャネル３におけるＰＲＢ１５１〜１５３と共に使用される。この割り当ては、ＰＲＢ０から始まり、合計５２個の使用可能なＰＲＢにまたがる。従って、リソースは、５２個の使用可能なＰＲＢの長さを示すとともに、開始ＰＲＢ０を示すことによって割り当てられる。これは、媒体アクセスを有する各チャネルについて、ＰＲＢ、ＲＢＧ、またはインターレースの始点、およびＰＲＢ、ＲＢＧ、またはインターレースの長さを示すことよりもオーバーヘッドが少ない。
【００８９】
[0105]  図１０Ａは、ＲＢＧサイズとともに媒体占有をＵＥに示すためにｇＮＢによって取られるステップのフローチャートである。図２に示すＴＲＰ２０８は、ｇＮＢの一例である。最初に、ｇＮＢは、ＵＥのための物理リソースブロックを割り当てる（ステップ１００５）。次に、ｇＮＢは、媒体占有状態が変化したかどうかを判定する（ステップ１０１０）。ステップ１０１０の出力は、媒体占有状態が変化した場合にＹｅｓであり、変化していない場合にＮｏである。従って、ステップ１０１０に対する答えがＹｅｓである場合、媒体占有状態は変化しており、ステップ１０１５において、媒体占有状態がより大きくなったかまたはより小さくなったか、すなわち、ステップ１０１５に対するＹｅｓでそれがより大きくなったかまたはステップ１０１５に対するＮｏで媒体占有状態がより小さくなったかの別の判定が行われる。ステップ１０１５に対する答えがＹｅｓである場合、媒体占有状態はより大きくなり、より粗いＲＢＧサイズがＵＥに割り振られる（図１０Ａのステップ１０２０）。ステップ１０１５に対する答えがＮｏである場合、媒体占有状態はより小さくなり、より細かいＲＢＧ粒度がＵＥに割り振られる（図１０Ａのステップ１０２５）。
【００９０】
[0106]  次に、ＢＳは、それが全てのチャネルを占有することができるかどうかを決定する（ステップ１０２７）。答えがＮｏである場合、それは完全に占有されていない、すなわち、ｇＮＢは、ＢＷの全てが占有されないように、全てではないがいくつかのチャネルまたは帯域幅を占有し、追加のガードバンドが占有されたチャネルの周辺で使用される（ステップ１０３５参照）。答えがＹｅｓである場合、ＢＷは完全に占有されており、余分なガードバンドは割り振られない。最後に、ステップ１０４０において、ｇＮＢは、媒体占有およびＲＢＧサイズを示すインジケータまたは信号に関する情報をＵＥに送ることができる。別の例では、ＲＢＧサイズは、暗黙的に決定され、動的にシグナリングされなくてもよい。
【００９１】
[0107]  図１０Ｂは、ｇＮＢからＲＢＧサイズとともに媒体占有を受信するためにＵＥによって取られるステップのフローチャートである。図１に示すＵＥ１２０は、ＵＥの一例である。最初に、ＵＥは、ｇＮＢによってそれに割り当てられた媒体占有および物理リソースブロックグループ（ＲＢＧ）を備える情報をｇＮＢから受信する（ステップ１０５５）。次いで、ＵＥは、媒体占有状態が変化した場合、ｇＮＢから情報を受信する（ステップ１０６０）。ステップ１０６０の出力は、媒体占有状態が変化した場合はＹｅｓであり、変化していない場合はＮｏである。従って、ステップ１０６０に対する答えがＹｅｓである場合、媒体占有状態は変化しており、ＵＥは、ステップ１０６５において、媒体占有状態がより大きくなったか、またはより小さくなったか、すなわち、ステップ１０６５に対してＹｅｓであり、それがより大きくなったか、またはステップ１０６５に対してＮｏであり媒体占有状態がより小さくなったかを見出す。ステップ１０６５に対する答えがＹｅｓである場合、媒体占有状態はより大きくなり、より粗いサイズがＲＢＧに割り振られ、ＵＥによって受信される（図１０Ｂのステップ１０７０）。ステップ１０６５に対する答えがＮｏである場合、媒体占有状態はより小さくなり、より細かい粒度がＲＢＧに割り振られ、ＵＥによって受信される（図１０Ｂのステップ１０７５）。
【００９２】
[0108]  次に、ＵＥは、全てのチャネルが占有されているか否かを通知される（ステップ１０７７）。答えがＮｏである場合、それらは完全に占有されておらず、すなわち、ＢＳは、ＢＷの全てが占有されないように、全てではないがいくつかのチャネルまたは帯域幅を占有し、ＵＥは、追加のガードバンドが占有されたチャネルの周辺に割り振られるとの情報を受信する（ステップ１０８５参照）。答えがＹｅｓである場合、ＢＷは完全に占有されており、余分なガードバンドは割り振られない。最後に、ステップ１０９０において、ＵＥは、媒体占有およびＲＢＧサイズを示すｇＮＢからインジケータまたは信号上の情報を受信する。別の例では、ＲＢＧサイズは、暗黙的に決定され、動的にシグナリングされなくてもよい。
【００９３】
[0109]  コンパクトＲＡインジケーションおよび媒体占有インデックスは、別々に送られ得るか、またはジョイントコーディングを使用して送られ得る。ジョイントコーディングは、場合によってはビット数を低減し、ＲＡオーバーヘッドを低減するのをさらに助け得る。
【００９４】
[0110]  ４つのチャネル、２０／４０／６０／８０ＭＨｚを有する例では、合計２００個のＰＲＢを有し、ここで、各チャネルは５０個のＰＲＢを有する。開始ＰＲＢは、２００個のＰＲＢ、ＰＲＢ０〜ＰＲＢ１９９の間のどこでもよく、長さは、１〜１９９ＰＲＢの間のどこでもよい。媒体占有インデックスのためにビットマップが使用され得、ビットマップは４ビットを使用する。
【００９５】
[0111]  リソース割り当てが、各チャネルがＮ個の物理リソースブロック（Ｎ ＰＲＢ）を有する４つのチャネル全てに対してジョイントコーディングされず、送られない場合、ｃｅｉｌ（ｌｏｇ２（４ＮＲＢ＊（４ＮＲＢ＋１）／２））ビットが、ＲＩＶベースのマッピングを使用するコンパクトなＲＡインジケーション（割り当てにおいて１ＲＢ粒度と仮定する）のために使用される。この例では、各チャネルは５０個のＰＲＢを有し得るので、Ｎ＝５０である。
【００９６】
[0112]  ジョイントコーディングの一例は、最初に割り当てられたチャネル中の開始ＰＲＢと、最後に割り当てられたチャネル中の終了ＰＲＢとを示すことである。また、最初および最後に割り当てられたチャネル上の媒体占有状態。これはｃｅｉｌ（ｌｏｇ２（ＮＲＢ）＋ｌｏｇ２（ＮＲＢ））ビットを使用する。Ｎ＝５０の場合、ｌｏｇ２（５０）＝５．６４であり、ｌｏｇ２（ＮＲＢ）＋ｌｏｇ２（ＮＲＢ）ビット＝５．６４＋５．６４＝１１．２８ビットであり、これは、別個のコーディングを使用するよりも約３ビット少ない。図９Ｂにおいて、開始ＰＲＢは、チャネル０におけるＰＲＢ０であり、終了ＰＲＢは、ＰＲＢ１５３であるチャネル３における第４のＰＲＢである。従って、ｌｏｇ２（ＮＲＢ）ビットは、チャネル０における開始ＰＲＢを示すために使用され、ｌｏｇ２（ＮＲＢ）ビットは、チャネル３における終了ＰＲＢを示すために使用される。そして、ＵＥは、開始ＰＲＢがチャネル０を指し、終了ＰＲＢがチャネル３を指すことを知るように、媒体占有状態情報で既に示されている。従って、開始ＰＲＢ／ＲＢＧ／インターレースと終了ＰＲＢ／ＲＢＧ／インターレースとの間の媒体占有状態もＵＥに知られている。
【００９７】
[0113]  図１１Ａは、リソース割り当て（ＲＡ）オーバーヘッドを低減するために取られる例示的なステップのフローチャートである。ステップ１１１０において、ＵＥは、一例において、開始ＰＲＢ、ＲＢＧ、またはインターレースをｇＮＢから受信する。ステップ１１２０において、ＵＥによって受信された送信は、ガードバンド内および占有されていないチャネル内のＰＲＢ、ＲＢＧ、またはインターレースを自動的にスキップしながら、多元接続なしにそれらのチャネルを含む複数のチャネルにわたるいくつかのＲＢ、ＲＢＧ、またはインターレースにまたがる。ＵＥに送信されるＰＲＢ、ＲＢＧ、またはインターレースの数が低減されるので、オーバーヘッドが低減される。図１１Ｂは、リソース割り当て（ＲＡ）インジケーションと媒体占有インデックスとをジョイントコーディングすることによってリソース割り当てオーバーヘッドを低減するために取られる例示的なステップのフローチャートである。ステップ１１４０において、ＵＥは、ｇＮＢから、最初に割り当てられたチャネルにおいて開始ＰＲＢを受信し、最後に割り当てられたチャネルにおいて終了ＰＲＢを受信する。従って、全てのチャネルに関する情報を受信する代わりに、最初に割り当てられたチャネルで開始ＰＲＢを受信し、最後に割り当てられたチャネルで終了ＰＲＢを受信し、それによってオーバーヘッドを低減する。ステップ１１５０において、ＵＥは、ｇＮＢから開始ＰＲＢと終了ＰＲＢとの間の媒体占有状態を受信する。この受信された情報は、どのＲＢ、ＲＢＧ、またはインターレースを使用するかを決定し、占有されていないＰＲＢ、ＲＢＧ、またはインターレースをスキップするために、ＵＥによって使用される。
【００９８】
[0114]  電力スペクトル密度（ＰＳＤ：power spectral density）制限により、インターレースチャネル構造は、ＵＥが電力をより効率的に利用するために無認可スペクトルにおいて使用される。
【００９９】
[0115]  加えて、ＳＣ−ＦＤＭは、ＯＦＤＭ波形と比較してＳＣ−ＦＤＭ波形に関連付けられたより良好なＰＡＰＲ（ピーク対平均電力比）に起因して、電力制限されたＵＥのためのＵＬにおいて使用され得る。
【０１００】
[0116]  図１２Ａは、ＰＲＢの第１のインターレース、インターレース０、およびＰＲＢの第２のインターレース、インターレース１などの、複数の等間隔のＰＲＢを有する複数のインターレースを示す。インターレースは、コンポーネントキャリアシステム帯域幅全体に広がる複数のＰＲＢを含み得る。例えば、２０ＭＨｚ帯域幅の場合、いくつかの展開では、１００個のＰＲＢ（例えば、ＰＲＢ＃０〜ＰＲＢ９９）が存在する。いくつかの例では、ＰＲＢの第１のインターレース、インターレース０は、ＲＢ＃０、１０、２０、．．．９０を含み得、ＲＢの第２のインターレースであるインターレース１は、ＲＢ＃１、１１、２１、．．．９１などを含み得る。第１の例では、インターレース構造がチャネルごとに定義される（潜在的なガードバンドを除く。ガードバンドが含まれる場合、ＵＥが媒体を確認できない可能性があるので、ガードバンドは除外される）。インターレースは、周波数において等間隔のＮ個の物理リソースブロック（ＰＲＢ）から構成される。一例において、チャネルのためのインターレース上に周波数において等間隔のＰＲＢが存在する。前述の８０ＭＨｚシステムでは、チャネルは、２０ＭＨｚ、４０ＭＨｚ、６０ＭＨｚ、または８０ＭＨｚであり得る。ここでは、インターレースのクラスタ、インターレース０およびインターレース１が存在し、ＰＲＢは１０ＰＲＢごとに離間される。図１２Ｂでは、インターレース１は、１０個のＰＲＢごとに離間されたＰＲＢを有する。しかしながら、複数のチャネルでは、クラスタは、ガードバンドに起因して等間隔ではないことがある。従って、インターレース割り振りは、チャネル当たり１つのインターレースを超えないことが好ましい。ＵＥが２つ以上のチャネル上で割り振られる場合、第１のインターレースチャネル以外のチャネルに対して非インターレース構造が使用され得る。
【０１０１】
[0117]  第２の例では、インターレースは、システム帯域幅に関して定義され得、前に説明したように、各々２０ＭＨｚのＢＷの４つのチャネル（２０／４０／６０／８０ＭＨｚ）を含んだ８０ＭＨｚシステムＢＷなどの特定のチャネルに関しては定義されないことがある。図１２Ｃを参照すると、インターレース２は、４つの２０ＭＨｚチャネルにわたって１０ＰＲＢずつ離れた等間隔のＰＲＢを有する。例えば、ＵＥは、１つのチャネルだけではなく、システム帯域幅全体にわたる等間隔のＰＲＢを有するインターレースのクラスタまたは部分インターレースのクラスタを割り振られ得る。インターレースがＰＲＢ０、１０、２０、．．．３９０などからなる場合、部分インターレースは、インターレース中のＲＢの全てを使用する必要がない可能性があることに留意されたい。ここで、インターレースは、１０個のＰＲＢ間隔を有する４００個のＰＲＢを有することができ、その結果、４０個のＰＲＢが等間隔になる。）部分的なインターフェースは、例として、ＰＲＢ０、１０、２０、．．．１５０（すなわち、１０ＰＲＢが等しく離間する（10 PRB equal spacing）合計１６個のＰＲＢ）を用いて、ＵＥに割り振られ得る。従って、ＵＥは、２つ以上のチャネルにまたがることができる１つまたは複数のインターレースまたは部分インターレースの複数の連続クラスタを用いて割り振られ得る。
【０１０２】
[0118]  図１３は、基地局１３０１内に含まれ得る特定のコンポーネントを図示する。基地局１３０１は、アクセスポイント、ノードＢ、発展型ノードＢなどであり得る。基地局１３０１はプロセッサ１３０３を含む。プロセッサ１３０３は、汎用シングルまたはマルチチップマイクロプロセッサ（例えば、ＡＲＭ）、特殊用途向けマイクロプロセッサ（例えば、デジタルシグナルプロセッサ（ＤＳＰ））、マイクロコントローラ、プログラマブルゲートアレイなどであり得る。プロセッサ１３０３は、中央処理ユニット（ＣＰＵ）と呼ばれ得る。図１３の基地局１３０１には単一のプロセッサ１３０３のみが示されているが、代替的な構成では、プロセッサの組み合わせ（例えば、ＡＲＭとＤＳＰ）が使用されることもできる。
【０１０３】
[0119]  基地局１３０１はまた、メモリ１３０５を含む。メモリ１３０５は、電子情報を記憶することが可能な任意の電子コンポーネントであり得る。メモリ１３０５は、ランダムアクセスメモリ（ＲＡＭ）、読み取り専用メモリ（ＲＯＭ）、磁気ディスク記憶媒体、光学記憶媒体、ＲＡＭにおけるフラッシュメモリデバイス、プロセッサと共に含まれるオンボードメモリ、ＥＰＲＯＭメモリ、ＥＥＰＲＯＭ（登録商標）メモリ、レジスタ、およびそれらの組み合わせを含むその他のものとして具体化され得る。
【０１０４】
[0120]  データ１３０７および命令１３０９は、メモリ１３０５に記憶され得る。命令１３０９は、本明細書に開示される方法を実施するためにプロセッサ１３０３によって実行可能であり得る。命令１３０９を実行することは、メモリ１３０５に記憶されているデータ１２０７の使用を含み得る。プロセッサ１３０３が命令１３０９を実行する場合、命令１３０９ａの様々な部分がプロセッサ１３０３にロードされ、データ１３０７ａの様々な部分がプロセッサ１３０３にロードされ得る。
【０１０５】
[0121]  基地局１３０１はまた、ワイヤレスデバイス１３０１への信号およびそれからの信号の送信および受信を可能にするために、送信機１３１１および受信機１３１３を含み得る。送信機１３１１および受信機１３１３は、トランシーバ１３１５と総称され得る。複数のアンテナ１３１７ａ〜ｂは、トランシーバ１３１５に電気的に結合され得る。基地局１３０１はまた、複数の送信機、複数の受信機、および／または複数のトランシーバを含み得る（図示せず）。
【０１０６】
[0122]  基地局１３０１の様々なコンポーネントは、１つまたは複数のバスによって共に結合され、それは、電力バス、制御信号バス、ステータス信号バス、データバス等を含み得る。明確化のために、様々なバスがバスシステム１３１９として図１３に示される。図１０のフローチャートにおいて本明細書で説明される機能は、ハードウェア、図１３で説明されるプロセッサ１３０３のようなプロセッサによって実行されるソフトウェアで実施され得る。
【０１０７】
[0123]  図１４は、ワイヤレス通信デバイス１４０１内に含まれ得る特定のコンポーネントを図示する。ワイヤレス通信デバイス１４０１は、アクセス端末、モバイル局、ユーザ機器（ＵＥ）などであり得る。ワイヤレス通信デバイス１４０１は、プロセッサ１３０３を含む。プロセッサ１４０３は、汎用シングルまたはマルチチップマイクロプロセッサ（例えば、ＡＲＭ）、特殊用途向けマイクロプロセッサ（例えば、デジタルシグナルプロセッサ（ＤＳＰ））、マイクロコントローラ、プログラマブルゲートアレイなどであり得る。プロセッサ１４０３は、中央処理ユニット（ＣＰＵ）と呼ばれ得る。図１４のワイヤレス通信デバイス１４０１には単一のプロセッサ１４０３のみが示されているが、代替の構成では、プロセッサの組み合わせ（例えば、ＡＲＭおよびＤＳＰ）が使用されることもできる。
【０１０８】
[0124]  ワイヤレス通信デバイス１４０１はまた、メモリ１４０５を含む。メモリ１４０５は、電子情報を記憶することが可能な任意の電子コンポーネントであり得る。メモリ１４０５は、ランダムアクセスメモリ（ＲＡＭ）、読み取り専用メモリ（ＲＯＭ）、磁気ディスク記憶媒体、光学記憶媒体、ＲＡＭにおけるフラッシュメモリデバイス、プロセッサと共に含まれるオンボードメモリ、ＥＰＲＯＭメモリ、ＥＥＰＲＯＭメモリ、レジスタ、およびそれらの組み合わせを含むその他のものとして具体化され得る。
【０１０９】
[0125]  データ１４０７および命令１４０９は、メモリ１４０５に記憶され得る。命令１３０９は、本明細書に開示される方法を実施するためにプロセッサ１４０３によって実行可能であり得る。命令１４０９を実行することは、メモリ１４０５に記憶されているデータ１４０７の使用を含み得る。プロセッサ１４０３が命令１４０９を実行するとき、命令１４０９ａの様々な部分がプロセッサ１４０３にロードされ、データ１４０７ａの様々な部分がプロセッサ１４０３にロードされ得る。
【０１１０】
[0126]  ワイヤレス通信デバイス１４０１はまた、ワイヤレス通信デバイス１４０１へのおよびそれからの信号の送信および受信を可能にするための、送信機１４１１および受信機１４１３を含み得る。送信機１４１１および受信機１４１３は、トランシーバ１４１５と総称され得る。複数のアンテナ１４１７ａ〜ｂは、トランシーバ１４１５に電気的に結合され得る。ワイヤレス通信デバイス１４０１はまた、複数の送信機、複数の受信機、および複数のトランシーバを含み得る（図示せず）。
【０１１１】
[0127]  ワイヤレス通信デバイス１４０１の様々なコンポーネントは、１つまたは複数のバスによって共に結合され、それは、電力バス、制御信号バス、ステータス信号バス、データバス等を含み得る。明確化のために、様々なバスがバスシステム１４１９として図１４に示される。これらの方法は可能性のある実施形態を説明しており、動作およびステップは、他の実施形態が可能になるように、再配列され得るか、またはそうでない場合は修正され得ることに留意されたい。いくつかの例では、複数の方法のうちの２つ以上からの態様が組み合わせられ得る。例えば、方法の各々の態様は、本明細書で説明される、他の方法のステップまたは態様、あるいは、他のステップまたは技法を含み得る。従って、本開示の態様は、送信時に受信し、受信時に送信することを提供し得る。図１１Ａおよび図１１Ｂのフローチャートにおいて本明細書で説明される機能は、ハードウェア、図１４で説明されるプロセッサ１４０３のようなプロセッサによって実行されるソフトウェアで実施され得る。
【０１１２】
[0128]  本明細書における説明は、当業者が本開示を製造または使用することを可能にするために提供される。本開示への様々な修正は当業者には容易に明らかであり、本明細書で定義した一般原理は、本開示の範囲から逸脱することなく他の変形バリエーションに適用できる。よって、本開示は、本明細書で説明される機能例および設計に制限されるものではなく、本明細書に開示された原理および新規な特徴に合致する最も広い範囲が与えられるべきものである。
【０１１３】
[0129]  本明細書で説明される機能は、ハードウェア、プロセッサによって実行されるソフトウェア、ファームウェア、またはそれらの任意の組み合わせにおいて実施され得る。プロセッサによって実行されるソフトウェアで実施される場合、機能は、１つまたは複数の命令またはコードとしてコンピュータ可読媒体上で記憶されるか、またはそれを介して送信され得る。他の例および実施形態は、本開示および添付された特許請求の範囲内にある。例えば、ソフトウェアの本質により、上述される機能は、プロセッサによって実行されるソフトウェア、ハードウェア、ファームウェア、ハードワイヤリング、またはこれらの任意の組み合わせを使用して実施され得る。機能を実施する特徴はまた、機能の一部分が異なる物理的（ＰＨＹ）ロケーションにおいて実施されるように分散されることを含め、様々な場所で物理的に位置付けられ得る。また、請求項を含めて、本明細書で使用されるように、項目のリストにおいて使用される「または」（例えば、「〜のうちの少なくとも１つ」あるいは「１つまたは複数」のようなフレーズによって前置きされる項目のリスト）は、例えばＡ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するように、選言的なリスト（disjunctive list）を示す。
【０１１４】
[0130]  コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされ得る任意の利用可能な媒体であり得る。限定ではなく例として、非一時的なコンピュータ可読媒体は、ＲＡＭ、ＲＯＭ、電気的消去可能プログラマブル読み取り専用メモリ（ＥＥＰＲＯＭ）、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または搬送するために使用され得、汎用または特殊用途コンピュータ、もしくは汎用または特殊用途プロセッサによってアクセスされ得る、任意の他の非一時的な媒体を含むことができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるような、ディスク（disk）およびディスク（disc）は、ＣＤ、レーザーディスク（登録商標）、光ディスク、デジタル多目的ディスク（ＤＶＤ）、フロッピー（登録商標）ディスク、およびＢｌｕ−ｒａｙ（登録商標）ディスクを含み、ここで、ディスク（disks）は、通常磁気的にデータを再生し、一方ディスク（discs）は、レーザーを用いて光学的にデータを再生する。上記の組み合わせもまた、コンピュータ可読媒体の範囲内に含まれる。
【０１１５】
[0131]  本明細書に説明された技法は、ＣＤＭＡ、ＴＤＭＡ、ＦＤＭＡ、ＯＦＤＭＡ、シングルキャリア周波数分割多元接続（ＳＣ−ＦＤＭＡ）、および他のシステムのような様々なワイヤレス通信システムのために使用され得る。「システム」および「ネットワーク」という用語は、しばしば同義で使用される。ＣＤＭＡシステムは、ＣＤＭＡ２０００、ユニバーサル地上無線アクセス（ＵＴＲＡ）などのような無線技術を実施し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケットデータ（ＨＲＰＤ）などと呼ばれる。ＵＴＲＡは、Ｗｉｄｅｂａｎｄ ＣＤＭＡ（ＷＣＤＭＡ（登録商標））およびＣＤＭＡの他のバリエーションを含む。ＴＤＭＡシステムは、モバイル通信用グローバルシステム（ＧＳＭ（登録商標）：Global System for Mobile Communications）などの無線技術を実施し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ワイヤレスフィデリィティ（Ｗｉ−Ｆｉ））、ＩＥＥＥ８０２．１６（ＷｉＭＡＸ）、ＩＥＥＥ８０２．２０、フラッシュ−ＯＦＤＭなどのような無線技術を実施し得る。ＵＴＲＡおよびＥ−ＵＴＲＡは、ユニバーサルモバイル電気通信システム（ユニバーサルモバイル電気通信システム（ＵＭＴＳ））の一部である。３ＧＰＰ ＬＴＥおよびＬＴＥ ａｄｖａｎｃｅｄ（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ａおよびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明される技法は、上述されたシステムおよび無線技術、並びに他のシステムおよび無線技術に使用され得る。しかしながら、本明細書の説明は、例示の目的でＬＴＥシステムを説明し、ＬＴＥの専門用語が上記の説明の大部分で使用されるが、技法はＬＴＥアプリケーション以外にも適用可能である。
【０１１６】
[0132]  本明細書で説明されたネットワークを含むＬＴＥ／ＬＴＥ−Ａネットワークでは、発展型ノードＢ（ｅＮＢ）という用語は概して、基地局を説明するために使用され得る。本明細書で説明される１つまたは複数のワイヤレス通信システムは、異なるタイプのｅＮＢが様々な地理的領域に対してカバレッジを提供する異種ＬＴＥ／ＬＴＥ−Ａネットワークを含み得る。例えば、各ｅＮＢまたは基地局は、マクロセル、スモールセル、または他のタイプのセルに対して通信カバレッジを提供し得る。「セル」という用語は、コンテキストに依存して、基地局、基地局に関連付けられたキャリアまたはコンポーネントキャリア（ＣＣ）、あるいはキャリアまたは基地局のカバレッジエリア（例えば、セクタなど）を説明するために使用され得る、３ＧＰＰの用語である。
【０１１７】
[0133]  基地局は、ベーストランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の適した専門用語で当業者によって呼ばれ得るか、あるいはそれらを含み得る。基地局に対する地理的カバレッジエリアは、カバレッジエリアの一部分を構成するセクタへと分割され得る。本明細書で説明された１つまたは複数のワイヤレス通信システムは、異なるタイプの基地局（例えば、マクロまたはスモールセル基地局）を含み得る。本明細書で説明されるＵＥは、マクロｅＮＢ、スモールセルｅＮＢ、中継基地局などを含む様々なタイプの基地局およびネットワーク機器と通信することが可能であり得る。異なる技術のために重複している地理的カバレッジエリアが存在し得る。一部のケースでは、異なるカバレッジエリアは、異なる通信技術に関連し得る。一部のケースでは、１つの通信技術に関するカバレッジエリアは、別の技術に関連するカバレッジエリアとオーバーラップし得る。異なる技術は、同じ基地局に、または異なる基地局に関連し得る。
【０１１８】
[0134]  本明細書で説明された１つまたは複数のワイヤレス通信システムは、同期または非同期動作をサポートし得る。同期動作の場合、基地局は、同様のフレームタイミングを有し、異なる基地局からの送信は、時間で大まかにアラインされ得る。非同期動作について、基地局は、異なるフレームタイミングを有し得、また異なる基地局からの送信は、時間でアラインされない可能性がある。本明細書で説明する技法は、同期動作または非同期動作のいずれかのために使用され得る。
【０１１９】
[0135]  本明細書で説明されるＤＬ送信はまた、順方向リンク送信と呼ばれ得、一方、ＵＬ送信はまた、逆方向リンク送信と呼ばれ得る。例えば、図１のワイヤレス通信システム１００を含む、本明細書で説明された各通信リンクは、１つまたは複数のキャリアを含み得、ここで、各キャリアは、複数のサブキャリア（例えば、異なる周波数の波形信号）からなる信号であり得る。変調された各信号は、異なるサブキャリア上で送られ得、制御情報（例えば、基準信号、制御チャネルなど）、オーバーヘッド情報、ユーザデータなどを搬送し得る。本明細書で説明される通信リンクは、（例えば、ペアのスペクトルリソースを使用した）周波数分割複信（ＦＤＤ）、または（例えば、ペアになっていないスペクトルリソースを使用した）時分割複信（ＴＤＤ）動作を使用して、双方向通信を送信し得る。フレーム構造が、ＦＤＤ（例えば、フレーム構造タイプ１）およびＴＤＤ（例えば、フレーム構造タイプ２）のために定義され得る。
【０１２０】
[0136]  従って、本開示の態様は、送信時に受信し、受信時に送信することを提供し得る。これらの方法は可能性のある実施形態を説明しており、動作およびステップは、他の実施形態が可能になるように、再配列され得るか、またはそうでない場合は修正され得ることに留意されたい。いくつかの例では、複数の方法のうちの２つ以上からの態様が組み合わせられ得る。
【０１２１】
[0137]  本明細書での開示に関連して説明された様々な例示的なブロックおよびモジュールは、汎用プロセッサ、デジタルシグナルプロセッサ（ＤＳＰ）、ＡＳＩＣ、フィールドプログラマブルゲートアレイ（ＦＰＧＡ）、または他のプログラマブルロジックデバイス、ディスクリートゲートまたはトランジスタロジック、ディスクリートハードウェアコンポーネント、あるいは本明細書で説明される機能機能を行うように設計されたそれらの任意の組み合わせを用いて実施または行われ得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ（例えば、ＤＳＰとマイクロプロセッサとの組合せ、複数のマイクロプロセッサ、ＤＳＰコアと連携する１つまたは複数のマイクロプロセッサ、あるいは任意の他のそのような構成）として実施されることもできる。よって、本明細書で説明される機能は、少なくとも１つの集積回路（ＩＣ）上で、１つまたは複数の他の処理ユニット（またはコア）によって行われ得る。様々な例では、異なるタイプのＩＣ（例えば、構造化／プラットフォームＡＳＩＣ、ＦＰＧＡ、または別のセミカスタムＩＣ）が使用され得、これらは、当該技術分野で知られている任意の方法でプログラムされ得る。各ユニットの機能はまた、１つまたは複数の汎用あるいは特定用途向けのプロセッサによって実行されるようにフォーマットされ、メモリ内に内蔵される命令を用いて全体的にあるいは部分的に実施され得る。
【０１２２】
[0138]  添付された図面では、同様のコンポーネントまたは特徴は、同じ参照ラベルを有し得る。さらに、同じタイプの様々なコンポーネントは、参照ラベルの後に、ダッシュと、それらの同様のコンポーネント間を区別する第２のラベルとを続けることによって区別され得る。第１の参照ラベルのみが明細書において使用される場合、その説明は、第２の参照ラベルに関わらず、同じ第１の参照ラベルを有する同様のコンポーネントのうちの任意の１つに適用可能である。
【図１】
2021507624.tif 000006
【図２】
2021507624.tif 000007
【図３】
2021507624.tif 000008
【図４】
2021507624.tif 000009
【図５Ａ】
2021507624.tif 000010
【図５Ｂ】
2021507624.tif 000011
【図６】
2021507624.tif 000012
【図７】
2021507624.tif 000013
【図８】
2021507624.tif 000014
【図９Ａ】
2021507624.tif 000015
【図９Ｂ】
2021507624.tif 000016
【図１０Ａ】
2021507624.tif 000017
【図１０Ｂ】
2021507624.tif 000018
【図１１Ａ】
2021507624.tif 000019
【図１１Ｂ】
2021507624.tif 000020
【図１２Ａ】
2021507624.tif 000021
【図１２Ｂ】
2021507624.tif 000022
【図１２Ｃ】
2021507624.tif 000023
【図１３】
2021507624.tif 000024
【図１４】
2021507624.tif 000025
【国際調査報告】
2021507624.tif 000026
2021507624.tif 000027
2021507624.tif 000028